(57)【要約】【課題】  定着部を入れ替えて使用する場合においても、ユーザビリティを向上させることである。【解決手段】  画像形成装置１００は、記録材に未定着トナー像を形成する画像形成部３０９と、画像形成装置の本体１００Ａに着脱可能であって画像形成部３０９により記録材に形成された未定着トナー像を定着するためのニップ部を形成する第１の回転体１５１及び第２の回転体１５２を備える定着部１５０と、第１の回転体１５１の表面を摺擦可能な摺擦回転体１５６と、摺擦回転体１５６による摺擦処理を許容するか否かを操作者により設定するための設定部１８０と、定着部１５０に設けられ設定部１８０を通じて設定された前記摺擦処理を許容するか否かの設定に対応する設定情報を記憶可能な記憶部１５４と、記憶部１５４から取得した前記設定情報に応じて前記摺擦処理を許容するか否かを制御する制御部３０１と、を有することを特徴とする。【選択図】  図９
2017032865.tif 000002
【特許請求の範囲】
【請求項１】
記録材に画像を形成する画像形成装置であって、
記録材に未定着トナー像を形成する画像形成部と、
前記画像形成装置の本体に着脱可能な定着部であって、前記画像形成部により記録材に形成された未定着トナー像を定着するためのニップ部を形成する第１の回転体及び第２の回転体を備える定着部と、
前記第１の回転体の表面を摺擦可能な摺擦回転体と、
前記摺擦回転体による摺擦処理を許容するか否かを操作者により設定するための設定部と、
前記定着部に設けられ、前記設定部を通じて設定された前記摺擦処理を許容するか否かの設定に対応する設定情報を記憶可能な記憶部と、
前記記憶部から取得した前記設定情報に応じて前記摺擦処理を許容するか否かを制御する制御部と、
を有することを特徴とする画像形成装置。
【請求項２】
前記定着部に搬送される記録材の枚数をカウントするカウント部と、を有し、
前記制御部は、前記記憶部から取得した前記設定情報が前記摺擦処理を許容する設定であることを示す場合、前記カウント部がカウントした枚数が前記所定枚数を超えたことに伴い前記摺擦回転体に前記摺擦処理を実行させ、前記記憶部から取得した前記設定情報が前記摺擦処理を許容しない設定であることを示す場合、前記カウント部がカウントした枚数が前記所定枚数を超えた場合であっても前記摺擦回転体に前記摺擦処理を実行させないことを特徴とする請求項１に記載の画像形成装置。
【請求項３】
前記定着部に搬送される記録材の枚数をカウントするカウント部と、を有し、
前記制御部は、前記記憶部から取得した前記設定情報が前記摺擦処理を許容する設定であることを示す場合、前記カウント部がカウントした枚数が前記所定枚数を超えたことに伴い前記摺擦回転体に前記摺擦処理を実行させ、前記記憶部から取得した前記設定情報が前記摺擦処理を許容しない設定であることを示す場合、前記カウント部に前記定着部に搬送される記録材の枚数をカウントさせず前記摺擦回転体に前記摺擦処理を実行させないことを特徴とする請求項１に記載の画像形成装置。
【請求項４】
前記定着部を前記画像形成装置の本体から取り出すための開口を有する開口部を開閉する開閉部と、
前記開閉部が閉じられたことを検知する開閉検知部と、
を有し、
前記制御部は、前記開閉検知部により前記開閉部が閉じられたことが検知されたことに伴い前記記憶部から前記設定情報を取得することを特徴とする請求項１乃至３のいずれか１項に記載の画像形成装置。
【請求項５】
前記画像形成装置を起動する電源スイッチを有し、
を有し、
前記制御部は、前記電源スイッチがオンになったことに伴い前記記憶部から前記設定情報を取得することを特徴とする請求項１乃至４のいずれか１項に記載の画像形成装置。
【請求項６】
前記設定部は、前記摺擦処理を許容する場合に前記摺擦処理を実行させる頻度を操作者により設定可能であり、
前記記憶部は、前記設定部を通じて設定された前記摺擦処理を許容する場合の前記頻度に対応する頻度情報を記憶可能な記憶部であり、
前記制御部は、前記記憶部から取得した前記設定情報が前記摺擦処理を許容することを示す場合、前記頻度情報に応じて前記摺擦処理を実行する頻度を制御することを特徴とする請求項１乃至５のいずれか１項に記載の画像形成装置。
【請求項７】
前記設定部は、前記摺擦処理を許容する場合に実行させる前記摺擦処理の摺擦時間を操作者により設定可能であり、
前記記憶部は、前記設定部を通じて設定された前記摺擦処理を許容する場合の前記摺擦時間に対応する時間情報を記憶可能な記憶部であり、
前記制御部は、前記記憶部から取得した前記設定情報が前記摺擦処理を許容することを示す場合、前記時間情報に応じて前記摺擦処理の摺擦時間を制御することを特徴とする請求項１乃至６のいずれか１項に記載の画像形成装置。
【請求項８】
記録材に画像を形成する画像形成装置であって、
記録材に未定着トナー像を形成する画像形成部と、
前記画像形成装置の本体に着脱可能な定着部であって、前記画像形成部により記録材に形成された未定着トナー像を定着するためのニップ部を形成する第１の回転体及び第２の回転体と、前記定着部と入れ替えて装着可能な他の定着部と識別するための識別情報を示す識別部と、を備える定着部と、
前記第１の回転体の表面を摺擦する摺擦回転体と、
前記摺擦回転体による摺擦処理を許容するか否かを操作者により設定するための設定部と、
前記設定部を通じて設定された前記摺擦処理を許容するか否かの設定に対応する設定情報を前記識別情報と対応付けて記憶可能な記憶部と、
前記記憶部から取得する前記設定情報であって前記識別情報に対応付けられた前記設定情報に応じて、前記摺擦処理を許容するか否かを制御する制御部と、
を有することを特徴とする画像形成装置。
【請求項９】
前記定着部に搬送される記録材の枚数をカウントするカウント部と、を有し、
前記制御部は、前記記憶部から取得した前記設定情報が前記摺擦処理を許容する設定であることを示す場合、前記カウント部がカウントした枚数が前記所定枚数を超えたことに伴い前記摺擦回転体に前記摺擦処理を実行させ、前記記憶部から取得した前記設定情報が前記摺擦処理を許容しない設定であることを示す場合、前記カウント部がカウントした枚数が前記所定枚数を超えた場合であっても前記摺擦回転体に前記摺擦処理を実行させないことを特徴とする請求項８に記載の画像形成装置。
【請求項１０】
前記定着部に搬送される記録材の枚数をカウントするカウント部と、を有し、
前記制御部は、前記記憶部から取得した前記設定情報が前記摺擦処理を許容する設定であることを示す場合、前記カウント部がカウントした枚数が前記所定枚数を超えたことに伴い前記摺擦回転体に前記摺擦処理を実行させ、前記記憶部から取得した前記設定情報が前記摺擦処理を許容しない設定であることを示す場合、前記カウント部に前記定着部に搬送される記録材の枚数をカウントさせず前記摺擦回転体に前記摺擦処理を実行させないことを特徴とする請求項８に記載の画像形成装置。
【請求項１１】
前記定着部を前記画像形成装置の本体から取り出すための開口を有する開口部を開閉する開閉部と、
前記開閉部が閉じられたことを検知する開閉検知部と、
を有し、
前記制御部は、前記開閉検知部により前記開閉部が閉じられたことが検知されたことに伴い前記記憶部から前記設定情報を取得することを特徴とする請求項８乃至１０のいずれか１項に記載の画像形成装置。
【請求項１２】
前記画像形成装置を起動する電源スイッチを有し、
を有し、
前記制御部は、前記電源スイッチがオンになったことに伴い前記記憶部から前記設定情報を取得することを特徴とする請求項８乃至１１のいずれか１項に記載の画像形成装置。
【請求項１３】
前記摺擦回転体による摺擦処理を許容するか否かの設定を促す表示を行う表示部と、を有し、
前記制御部は、前記画像形成装置の本体に装着されている前記定着部の前記識別情報に対応する前記設定情報を前記記憶部が記憶していない場合、前記表示部に前記表示を行わせることを特徴とする請求項８乃至１２のいずれか１項に記載の画像形成装置。
【請求項１４】
前記設定部は、前記摺擦処理を許容する場合に前記摺擦処理を実行させる頻度を操作者により設定可能であり、
前記記憶部は、前記設定部を通じて設定された前記摺擦処理を許容する場合の前記頻度に対応する頻度情報を前記識別情報と対応付けて記憶可能な記憶部であり、
前記制御部は、前記識別部から取得した前記識別情報と対応付けられて前記記憶部に記憶されている前記設定情報が前記摺擦処理を許容することを示す場合、前記識別情報と対応付けられた前記頻度情報に応じて前記摺擦処理を実行する頻度を制御することを特徴とする請求項８乃至１３のいずれか１項に記載の画像形成装置。
【請求項１５】
前記設定部は、前記摺擦処理を許容する場合に実行させる前記摺擦処理の摺擦時間を操作者により設定可能であり、
前記記憶部は、前記設定部を通じて設定された前記摺擦処理を許容する場合の前記摺擦時間に対応する時間情報を前記識別情報と対応付けて記憶可能な記憶部であり、
前記制御部は、前記識別部から取得した前記識別情報と対応付けられて前記記憶部に記憶されている前記設定情報が前記摺擦処理を許容することを示す場合、前記識別情報と対応付けられた前記時間情報に応じて前記摺擦処理の摺擦時間を制御することを特徴とする請求項８乃至１４のいずれか１項に記載の画像形成装置。
【請求項１６】
記録材に画像を形成する画像形成装置であって、
記録材に未定着トナー像を形成する画像形成部と、
前記画像形成装置の本体に着脱可能な定着部であって、前記画像形成部により記録材に形成された未定着トナー像を定着するためのニップ部を形成する第１の回転体及び第２の回転体と、前記定着部と入れ替えて装着可能な他の定着部と識別するための識別情報を示す識別部と、情報を記憶可能な定着記憶部と、を備える定着部と、
前記第１の回転体の表面を摺擦する摺擦回転体と、
情報を記憶可能な本体記憶部と、
前記摺擦回転体による摺擦処理を許容するか否かを操作者により設定するための設定部と、
時刻に対応する情報を出力する出力部と、
前記設定部を通じて設定された前記摺擦処理を許容するか否かの設定に対応する設定情報を前記出力部による時刻情報と対応付けて前記定着記憶部に記録する記録部であって、前記設定情報と前記時刻情報と前記識別情報とを対応付けて前記本体記憶部に記録する記録部と、
前記定着記憶部が記憶する前記設定情報と前記本体記憶部が前記定着部の前記識別情報と対応付けて記憶する前記設定情報のうち、より新しい時刻情報に対応付けられて記憶されている前記設定情報に応じて、前記摺擦処理を許容するか否かを制御する制御部と、
を有することを特徴とする画像形成装置。
【請求項１７】
前記定着部に搬送される記録材の枚数をカウントするカウント部と、を有し、
前記制御部は、
前記定着記憶部が記憶する前記設定情報と前記本体記憶部が前記定着部の前記識別情報と対応付けて記憶する前記設定情報のうちより新しい時刻情報に対応付けられている前記設定情報が前記摺擦処理を許容する設定であることを示す場合、前記カウント部がカウントした枚数が前記所定枚数を超えたことに伴い前記摺擦回転体に前記摺擦処理を実行させ、
前記定着記憶部が記憶する前記設定情報と前記本体記憶部が前記定着部の前記識別情報と対応付けて記憶する前記設定情報のうちより新しい時刻情報に対応付けられている前記設定情報が前記摺擦処理を許容しない設定であることを示す場合、前記カウント部がカウントした枚数が前記所定枚数を超えた場合であっても前記摺擦回転体に前記摺擦処理を実行させないことを特徴とする請求項１６に記載の画像形成装置。
【請求項１８】
前記定着部に搬送される記録材の枚数をカウントするカウント部と、を有し、
前記制御部は、
前記定着記憶部が記憶する前記設定情報と前記本体記憶部が前記定着部の前記識別情報と対応付けて記憶する前記設定情報のうちより新しい時刻情報に対応付けられている前記設定情報が前記摺擦処理を許容する設定であることを示す場合、前記カウント部がカウントした枚数が前記所定枚数を超えたことに伴い前記摺擦回転体に前記摺擦処理を実行させ、
前記定着記憶部が記憶する前記設定情報と前記本体記憶部が前記定着部の前記識別情報と対応付けて記憶する前記設定情報のうちより新しい時刻情報に対応付けられている前記設定情報が前記摺擦処理を許容しない設定であることを示す場合、前記カウント部に前記定着部に搬送される記録材の枚数をカウントさせず前記摺擦回転体に前記摺擦処理を実行させないことを特徴とする請求項１６に記載の画像形成装置。
【請求項１９】
前記定着部を前記画像形成装置の本体から取り出すための開口を有する開口部を開閉する開閉部と、
前記開閉部が閉じられたことを検知する開閉検知部と、
を有し、
前記制御部は、前記開閉検知部により前記開閉部が閉じられたことが検知されたことに伴い、前記定着記憶部が記憶する前記設定情報と前記本体記憶部が前記定着部の前記識別情報と対応付けて記憶する前記設定情報のうちより新しい時刻情報に対応付けられている前記設定情報を取得することを特徴とする請求項１６乃至１８のいずれか１項に記載の画像形成装置。
【請求項２０】
前記画像形成装置を起動する電源スイッチを有し、
を有し、
前記制御部は、前記電源スイッチがオンになったことに伴い、前記定着記憶部が記憶する前記設定情報と前記本体記憶部が前記定着部の前記識別情報と対応付けて記憶する前記設定情報のうちより新しい時刻情報に対応付けられている前記設定情報を取得することを特徴とする請求項１６乃至１９のいずれか１項に記載の画像形成装置。
【請求項２１】
前記設定部は、前記摺擦処理を許容する場合に前記摺擦処理を実行させる頻度を操作者により設定可能であり、
前記記録部は、前記設定部を通じて設定された前記摺擦処理を許容する場合の前記頻度に対応する頻度情報を前記時刻情報と対応付けて前記定着記憶部に記録し、前記頻度情報と前記時刻情報と前記識別情報とを対応付けて前記本体記憶部に記録し、
前記制御部は、前記摺擦処理を許容する制御を行う場合、前記定着記憶部が記憶する前記頻度情報と前記本体記憶部が前記定着部の前記識別情報と対応付けて記憶する前記頻度情報のうち、より新しい時刻情報に対応付けられて記憶されている前記頻度情報に応じて、前記摺擦処理を実行する頻度を制御することを特徴とする請求項１６乃至２０のいずれか１項に記載の画像形成装置。
【請求項２２】
前記設定部は、前記摺擦処理を許容する場合に実行させる前記摺擦処理の摺擦時間を操作者により設定可能であり、
前記記録部は、前記設定部を通じて設定された前記摺擦処理を許容する場合の前記摺擦時間に対応する時間情報を前記時刻情報と対応付けて前記定着記憶部に記録し、前記時間情報と前記時刻情報と前記識別情報とを対応付けて前記本体記憶部に記録し、
前記制御部は、前記摺擦処理を許容する制御を行う場合、前記定着記憶部が記憶する前記頻度情報と前記本体記憶部が前記定着部の前記識別情報と対応付けて記憶する前記時間情報のうち、より新しい時刻情報に対応付けられて記憶されている前記時間情報に応じて、前記摺擦処理の摺擦時間を制御することを特徴とする請求項１６乃至２１のいずれか１項に記載の画像形成装置。
【請求項２３】
前記識別部は前記定着記憶部と一体であり、前記定着記憶部は前記識別情報を記憶していることを特徴とする請求項１６乃至２２のいずれか１項に記載の画像形成装置。
【請求項２４】
記録材に画像を形成する画像形成装置であって、
記録材に未定着トナー像を形成する画像形成部と、
前記画像形成装置の本体に着脱可能な定着部であって、前記画像形成部により記録材に形成された未定着トナー像を定着するためのニップ部を形成する第１の回転体及び第２の回転体と、前記定着部と入れ替えて装着可能な他の定着部と識別するための識別情報を示す識別部と、情報が記録された累積回数を示す回数情報を含む情報を記憶可能な定着記憶部と、を備える定着部と、
前記第１の回転体の表面を摺擦する摺擦回転体と、
情報を記憶可能な本体記憶部と、
前記摺擦回転体による摺擦処理を許容するか否かを操作者により設定するための設定部と、
前記設定部を通じて設定された前記摺擦処理を許容するか否かの設定に対応する設定情報を前記定着記憶部に記録するとともに前記定着記憶部が記憶する前記回数情報を更新する記録部であって、更新した前記回数情報を前記設定情報と前記識別情報と対応付けて前記本体記憶部に記録する記録部と、
前記定着記憶部が記憶する前記設定情報と前記本体記憶部が前記定着部の前記識別情報と対応付けて記憶する前記設定情報のうち、より多い回数を示す回数情報に対応付けられて記憶されている前記設定情報に応じて、前記摺擦処理を許容するか否かを制御する制御部と、
を有することを特徴とする画像形成装置。
【請求項２５】
記録材に画像を形成する画像形成装置と、
前記画像形成装置と通信可能に接続し、情報を記憶する記憶装置と、
を有する画像形成システムであって、
前記画像形成装置は、
記録材に未定着トナー像を形成する画像形成部と、
前記画像形成装置の本体に着脱可能な定着部であって、前記画像形成部により記録材に形成された未定着トナー像を定着するためのニップ部を形成する第１の回転体及び第２の回転体と、前記定着部と入れ替えて装着可能な他の定着部と識別するための識別情報を示す識別部と、を備える定着部と、
前記第１の回転体の表面を摺擦する摺擦回転体と、
前記摺擦回転体による摺擦処理を許容するか否かを操作者により設定するための設定部と、
前記設定部を通じて設定された前記摺擦処理を許容するか否かの設定に対応する設定情報を前記定着部の前記識別情報と対応付けて前記記憶装置に記録する記録部と、
前記記憶装置が前記定着部の前記識別情報と対応付けて記憶する前記設定情報に応じて、前記摺擦処理を許容するか否かを制御する制御部と、
を有することを特徴とする画像形成システム。
【請求項２６】
記録材に画像を形成する画像形成装置に着脱可能な定着装置であって、
記録材に形成された未定着トナー像を定着するためのニップ部を形成する第１の回転体及び第２の回転体と、
前記第１の回転体の表面を摺擦する摺擦回転体と、
前記摺擦回転体による摺擦処理を許容するか否かの設定を記憶可能な記憶部と、
を有することを特徴とする定着装置。
【発明の詳細な説明】
【技術分野】
【０００１】
本発明は、電子写真方式の画像形成装置、及び、電子写真方式の画像形成装置を有する画像形成システム、及び、電子写真方式の画像形成装置に用いられる定着装置に関する。
【背景技術】
【０００２】
電子写真方式の画像形成装置には、記録材に形成された未定着トナー像を記録材に定着する定着器（定着部）が設けられている。より高品質な成果物を得るために、定着する記録材のサイズや種類に応じて使用目的の異なる定着器を入れ替えて使用する方法が知られている。特許文献１では、定着器の識別情報を検出し、決定された印刷ジョブの仕様に対して適切でない定着器を認識した場合にユーザに知らせる方法が提案されている。
【０００３】
一方、定着器において未定着トナー像を定着処理するとき、記録材の端部（記録材の搬送方向に垂直な方向の端部）が定着部材（回転体）に接触することにより、定着部材の表面に微小な傷を付けてしまうことが知られている。記録材の搬送方向に垂直な方向のサイズ（以下、幅サイズと称する。）が同じ記録材の定着処理が繰り返されると、定着部材の同一箇所に繰り返し傷が付く。傷が繰り返し付けられた部分の定着部材の表面性は、他の部分と比べて粗くなる。この状態で、傷の要因となった記録材の幅サイズより大きい幅サイズの記録材に定着処理を行うと、記録材上の画像に光沢ムラが生じる恐れがある。そのため、カウントした記録材の通紙枚数が所定枚数を超えるごとに、摺擦回転体による定着部材の表面の摺擦（定着リフレッシュ動作）を行い、定着部材の表面性を均す方法が知られている（特許文献２）。
【先行技術文献】
【特許文献】
【０００４】
【特許文献１】特開２０１１−５６９４５号公報
【特許文献２】特開２００８−４０３６４号公報
【発明の概要】
【発明が解決しようとする課題】
【０００５】
一方で、定着器を入れ替えて使用する方法においては、光沢性を重視するユーザが、入れ替え用の定着器の１つをある幅サイズ専用の定着器として使用する場合がある。このように使用する場合には、記録材の端部による光沢ムラの影響を無視できるため、定着リフレッシュ動作を実行させない設定にすることが望まれる。すなわち、定着器の使用目的に応じて、定着リフレッシュ動作の実行を許容する設定と定着リフレッシュ動作の実行を許容しない設定を、定着器毎に設定することが望ましい場合がある。
【０００６】
しかしながら、定着器を入れ替える度に、その都度、操作者に定着リフレッシュ動作を設定させるのは、ユーザビリティの低下に繋がる恐れがある。
【０００７】
そこで、本発明の目的は、定着部を入れ替えて使用する場合においても、ユーザビリティを向上させることである。
【課題を解決するための手段】
【０００８】
上記の目的を達成するために、第１の発明は、
記録材に画像を形成する画像形成装置であって、
記録材に未定着トナー像を形成する画像形成部と、
前記画像形成装置の本体に着脱可能な定着部であって、前記画像形成部により記録材に形成された未定着トナー像を定着するためのニップ部を形成する第１の回転体及び第２の回転体を備える定着部と、
前記第１の回転体の表面を摺擦可能な摺擦回転体と、
前記摺擦回転体による摺擦処理を許容するか否かを操作者により設定するための設定部と、
前記定着部に設けられ、前記設定部を通じて設定された前記摺擦処理を許容するか否かの設定に対応する設定情報を記憶可能な記憶部と、
前記記憶部から取得した前記設定情報に応じて前記摺擦処理を許容するか否かを制御する制御部と、
を有することを特徴とするものである。
【０００９】
第２の発明は、
記録材に画像を形成する画像形成装置であって、
記録材に未定着トナー像を形成する画像形成部と、
前記画像形成装置の本体に着脱可能な定着部であって、前記画像形成部により記録材に形成された未定着トナー像を定着するためのニップ部を形成する第１の回転体及び第２の回転体と、前記定着部と入れ替えて装着可能な他の定着部と識別するための識別情報を示す識別部と、を備える定着部と、
前記第１の回転体の表面を摺擦する摺擦回転体と、
前記摺擦回転体による摺擦処理を許容するか否かを操作者により設定するための設定部と、
前記設定部を通じて設定された前記摺擦処理を許容するか否かの設定に対応する設定情報を前記識別情報と対応付けて記憶可能な記憶部と、
前記記憶部から取得する前記設定情報であって前記識別情報に対応付けられた前記設定情報に応じて、前記摺擦処理を許容するか否かを制御する制御部と、
を有することを特徴とするものである。
【００１０】
第３の発明は、
記録材に画像を形成する画像形成装置であって、
記録材に未定着トナー像を形成する画像形成部と、
前記画像形成装置の本体に着脱可能な定着部であって、前記画像形成部により記録材に形成された未定着トナー像を定着するためのニップ部を形成する第１の回転体及び第２の回転体と、前記定着部と入れ替えて装着可能な他の定着部と識別するための識別情報を示す識別部と、情報を記憶可能な定着記憶部と、を備える定着部と、
前記第１の回転体の表面を摺擦する摺擦回転体と、
情報を記憶可能な本体記憶部と、
前記摺擦回転体による摺擦処理を許容するか否かを操作者により設定するための設定部と、
時刻に対応する情報を出力する出力部と、
前記設定部を通じて設定された前記摺擦処理を許容するか否かの設定に対応する設定情報を前記出力部による時刻情報と対応付けて前記定着記憶部に記録する記録部であって、前記設定情報と前記時刻情報と前記識別情報とを対応付けて前記本体記憶部に記録する記録部と、
前記定着記憶部が記憶する前記設定情報と前記本体記憶部が前記定着部の前記識別情報と対応付けて記憶する前記設定情報のうち、より新しい時刻情報に対応付けられて記憶されている前記設定情報に応じて、前記摺擦処理を許容するか否かを制御する制御部と、
を有することを特徴とするものである。
【００１１】
第４の発明は、
記録材に画像を形成する画像形成装置であって、
記録材に未定着トナー像を形成する画像形成部と、
前記画像形成装置の本体に着脱可能な定着部であって、前記画像形成部により記録材に形成された未定着トナー像を定着するためのニップ部を形成する第１の回転体及び第２の回転体と、前記定着部と入れ替えて装着可能な他の定着部と識別するための識別情報を示す識別部と、情報が記録された累積回数を示す回数情報を含む情報を記憶可能な定着記憶部と、を備える定着部と、
前記第１の回転体の表面を摺擦する摺擦回転体と、
情報を記憶可能な本体記憶部と、
前記摺擦回転体による摺擦処理を許容するか否かを操作者により設定するための設定部と、
前記設定部を通じて設定された前記摺擦処理を許容するか否かの設定に対応する設定情報を前記定着記憶部に記録するとともに前記定着記憶部が記憶する前記回数情報を更新する記録部であって、更新した前記回数情報を前記設定情報と前記識別情報と対応付けて前記本体記憶部に記録する記録部と、
前記定着記憶部が記憶する前記設定情報と前記本体記憶部が前記定着部の前記識別情報と対応付けて記憶する前記設定情報のうち、より多い回数を示す回数情報に対応付けられて記憶されている前記設定情報に応じて、前記摺擦処理を許容するか否かを制御する制御部と、
を有することを特徴とするものである。
【００１２】
第５の発明は、
記録材に画像を形成する画像形成装置と、
前記画像形成装置と通信可能に接続し、情報を記憶する記憶装置と、
を有する画像形成システムであって、
前記画像形成装置は、
記録材に未定着トナー像を形成する画像形成部と、
前記画像形成装置の本体に着脱可能な定着部であって、前記画像形成部により記録材に形成された未定着トナー像を定着するためのニップ部を形成する第１の回転体及び第２の回転体と、前記定着部と入れ替えて装着可能な他の定着部と識別するための識別情報を示す識別部と、を備える定着部と、
前記第１の回転体の表面を摺擦する摺擦回転体と、
前記摺擦回転体による摺擦処理を許容するか否かを操作者により設定するための設定部と、
前記設定部を通じて設定された前記摺擦処理を許容するか否かの設定に対応する設定情報を前記定着部の前記識別情報と対応付けて前記記憶装置に記録する記録部と、
前記記憶装置が前記定着部の前記識別情報と対応付けて記憶する前記設定情報に応じて、前記摺擦処理を許容するか否かを制御する制御部と、
を有することを特徴とするものである。
【００１３】
第６の発明は、
記録材に画像を形成する画像形成装置に着脱可能な定着装置であって、
記録材に形成された未定着トナー像を定着するためのニップ部を形成する第１の回転体及び第２の回転体と、
前記第１の回転体の表面を摺擦する摺擦回転体と、
前記摺擦回転体による摺擦処理を許容するか否かの設定を記憶可能な記憶部と、
を有することを特徴とするものである。
【発明の効果】
【００１４】
本発明によれば、定着部を入れ替えて使用する場合においても、ユーザビリティを向上させることができる。
【図面の簡単な説明】
【００１５】
【図１】画像形成装置の一例を示す断面図である。
【図２】制御系の構成の一例を示すブロック図である。
【図３】定着部の一例を示す断面図である。
【図４】ＲＡＭが保持しているカウンタ情報の一例を示す図である。
【図５】定着部が記録材をニップして搬送する状態を説明する図である。
【図６】記録材の端部による光沢ムラを説明する図である。
【図７】定着リフレッシュ動作設定の画面の一例を示す図である。
【図８】定着器のメモリが保持している情報の一例を示す図である。
【図９】設定シークエンスのフローチャートである。
【図１０】電源スイッチがオンされてからスタンバイモードとなるまでのフローチャートである。
【図１１】前扉が開いている状態からスタンバイモードとなるまでのフローチャートである。
【図１２】定着リフレッシュ動作を実行するか否かに関するフローチャートである。
【図１３】本体メモリが保持している情報の一例を示す図である。
【図１４】電源スイッチがオンされてからスタンバイモードとなるまでのフローチャートである。
【図１５】前扉が開いている状態からスタンバイモードとなるまでのフローチャートである。
【図１６】設定シークエンスのフローチャートである。
【図１７】画像形成システムの構成の一例を示す図である。
【図１８】サーバの登録画面の一例を示す図である。
【図１９】サーバの制御系の構成の一例を示すブロック図である。
【図２０】電源スイッチがオンされてからスタンバイモードとなるまでのフローチャートである。
【図２１】前扉が開いている状態からスタンバイモードとなるまでのフローチャートである。
【図２２】定着リフレッシュ動作設定の読み出しに関するサーバ側のフローチャートである。
【図２３】設定シークエンスのフローチャートである。
【図２４】設定シークエンスにおけるサーバ側のフローチャートである。
【図２５】サーバ側での定着リフレッシュ動作設定の画面の一例を示す図である。
【図２６】（ａ）は、定着器のメモリが保持している情報の一例を示す図であり、（ｂ）は、本体メモリが保持している情報の一例を示す図である。
【図２７】設定シークエンスのフローチャートである。
【図２８】電源スイッチがオンされてからスタンバイモードとなるまでのフローチャートである。
【図２９】前扉が開いている状態からスタンバイモードとなるまでのフローチャートである。
【図３０】リフレッシュレベル設定の画面の一例を示す図である。
【発明を実施するための形態】
【００１６】
以下に、本発明の好ましい実施の形態を、添付の図面に基づいて詳細に説明する。ただし、この実施形態に記載されている構成要素はあくまで例示であり、本発明を実施形態に記載されたものだけに限定するものではない。
【００１７】
〔実施例１〕
（１．画像形成装置の全体的な構成）
図１は、画像形成装置の一例を示す断面図である。
【００１８】
ここでは、画像形成装置１００の全体的な構成について説明する。
【００１９】
画像形成装置１００は、記録材収納部１０３に収納された記録材１０２を画像形成部３０９（図２）へ搬送し、記録材１０２上にトナー像を形成する。尚、画像形成部３０９の詳細については後述する。
【００２０】
その後画像形成装置１００は、画像形成部３０９にてトナー像が形成された記録材１０２を定着部（第一定着器１５０、第二定着器１７０）へ搬送し、熱と圧力を加えることで記録材１０２上のトナー像を記録材１０２に定着する。尚、定着部の詳細については後述する。
【００２１】
片面印刷の場合、画像形成装置１００は、画像形成部３０９と定着部とを経て画像形成が完了した記録材１０２をフラッパ１３２が排出経路１３９へ導くことにより、画像形成装置１００の外側へ排出する。
【００２２】
一方、両面印刷の場合、画像形成装置１００は、片面の印刷を終えた記録材１０２を反転させて再度画像形成部３０９へと搬送する。具体的には、定着後の記録材１０２をフラッパ１３２が搬送経路１３４へと導き、反転部１３６へ搬送する。反転センサ１３５が記録材１０２の後端を検出すると、フラッパ１３３が記録材１０２の搬送方向を搬送経路１３７に切り替える。画像形成装置１００は、反転させた記録材１０２を搬送経路１３７を経て再び画像形成部３０９と定着部とへ搬送する。
【００２３】
両面の画像形成が完了した記録材１０２は、フラッパ１３２により排出経路１３９へと導かれ、画像形成装置１００の外側へ排出される。
【００２４】
ここでフラッパ１３２は、画像形成部３０９と定着部とを経た記録材１０２を搬送経路１３４へと搬送するか、画像形成装置１００の外側へ排出するかを切り替える切り替え部材である。
【００２５】
また記録材１０２は、画像形成装置１００によって画像が形成されるものであって、たとえば紙やＯＨＰ用シート等が挙げられる。
【００２６】
設定部や選択部、受付部、報知部として機能する操作部１８０は、表示画面と選択キーを備える。操作部１８０は、表示画面に画像形成装置１００の状態を表示したり、選択キーにより操作者からの動作の指示を受け付けたりする。動作の指示の例としては、画像形成に用いる記録材１０２の種類（表面性、坪量、サイズ等）の設定や、印刷する部数の設定や、片面印刷／両面印刷の設定などが挙げられる。
【００２７】
電源スイッチ１０１は、画像形成装置１００を起動する起動スイッチである。
【００２８】
また開閉部としての前扉１４０は、定着器（第一定着器１５０、第二定着器１７０）を装着部（第一装着部１４１、第二装着部１４２）に装着するための画像形成装置１００の本体１００Ａの開口部に設けられた扉である。
【００２９】
また、画像形成装置１００は、前扉１４０が閉じられた状態であることを検知するためのセンサとして、開閉センサ（光学センサ）３０５（図２）を備える。開閉センサ３０５とＣＰＵ３０１（図２）は開閉検知部として機能する。前扉１４０には突起（不図示）が設けてあり、前扉１４０が閉じられることにより画像形成装置１００の本体１００Ａの受け部（不図示）に差し込まれる。ＣＰＵ３０１は、突起が受け部に差し込まれたことに伴い開閉センサ３０５が出す信号を基に、前扉１４０が閉じられたことを検知する。一方、開閉センサ３０５からの信号が出力されていないときは、ＣＰＵ３０１は前扉１４０が開いていることを検知する。尚、前扉１４０が開いたことに伴い開閉センサ３０５が出す信号を基にＣＰＵ３０１は前扉１４０が開いたことを検知し、一方、開閉センサ３０５からの信号が出力されていないときは、ＣＰＵ３０１は前扉１４０が閉じていることを検知する構成としてもよい。
【００３０】
（２．制御系の構成）
図２は、制御系の構成の一例を示すブロック図である。
【００３１】
画像形成装置１００（図１）は、画像形成装置１００の動作を制御するためのＣＰＵ３０１、ＲＡＭ３０２、ＲＯＭ３０３等を備えている。
【００３２】
制御部として機能するＣＰＵ３０１は、ＲＯＭ３０３に記憶された制御プログラムを実行することにより、画像形成装置１００の基本制御を行う。後述するフローチャートの動作は、ＲＯＭ３０３に記憶された制御プログラムに基づいてＣＰＵ３０１により実行される。ＣＰＵ３０１は、制御プログラムの処理を実行するためのワークエリアとしてＲＡＭ３０２を使用する。
【００３３】
ＣＰＵ３０１は、ＲＡＭ３０２、ＲＯＭ３０３の他、制御対象となる各機構と電気的に接続している。
【００３４】
また、ＣＰＵ３０１は、第一定着器１５０や第二定着器１７０内に搬送された記録材１０２の枚数をカウントするカウンター（カウント部）としても機能する。ＣＰＵ３０１は、ＲＡＭ３０２上で搬送枚数をカウントする。例えば、ＣＰＵ３０１は、第一定着器１５０のニップ部に対して搬送方向上流側にセンサ１５５の信号を基に記録材１０２の搬送を検知する度にＲＡＭ３０２上の値（カウント値）をカウントアップさせる。これにより、第一定着器１５０に搬送された記録材１０２の枚数を管理する。図４は、ＲＡＭが保持しているカウンタ情報の一例を示す図である。本例では、記録材１０２の搬送枚数を記録材１０２の幅サイズ毎にカウントする。
【００３５】
外部Ｉ／Ｆ部３０４はネットワーク（例えばＬＡＮやＷＡＮなど）を介して接続される外部装置と通信するための通信回路である。外部装置としては、サーバ４００の他、例えばＰＣ（パーソナルコンピュータ）や他の画像形成装置等が挙げられる。
【００３６】
ＣＰＵ３０１は、開閉センサ３０５と接続しており、前扉１４０が閉じられた状態か否かを検知する。
【００３７】
センサ群３０６は、図１に示すセンサ１５３、１５５、１７３、１７５を含む搬送経路上の各センサのことであり、ＣＰＵ３０１が記録材の有無や通過を検知するためのセンサである。
【００３８】
また、ＣＰＵ３０１は、操作部１８０と接続している。ＣＰＵ３０１は、操作部１８０の選択キーを通して操作者から表示画面の表示内容の切り替えや動作の指示を受け付ける。また、ＣＰＵ３０１は、画像形成装置１００の動作状況や選択キーからの入力によって設定された動作モードなどの情報を、操作部１８０の表示画面に表示させる。
【００３９】
また、ＣＰＵ３０１は、タイマー３０７と接続している。タイマー３０７は時間を計測する計時部として機能する。定着リフレッシュ動作における摺擦処理の時間の計測等に用いられる。
【００４０】
また、ＣＰＵ３０１は、時計３１３と接続している。時計３１３は時刻を出力する出力部として機能する。
【００４１】
またＣＰＵ３０１は、搬送部３０８に接続しており、記録材１０２の搬送を制御する。搬送部３０８は、記録材収納部１０３から搬送経路へと記録材１０２を供給する供給部や、搬送経路上の記録材１０２を搬送するための各搬送ローラ、搬送経路の各フラッパ（図１に示すフラッパ１３１、１３２、１３３）等である。
【００４２】
またＣＰＵ３０１は後述する画像形成部３０９に接続しており、画像形成部３０９の制御を行う。
【００４３】
定着器メモリ３１０は、画像形成装置１００に装着されている第一定着器１５０が有するメモリ１５４と画像形成装置１００に装着されている第二定着器１７０が有するメモリ１７４である。ＣＰＵ３０１は、画像形成装置１００に装着されている第一定着器１５０や第二定着器１７０が有するメモリ１５４、１７４に接続しており、メモリ１５４、１７４への書き込みや読み込みを行う。
【００４４】
また、ＣＰＵ３０１は識別部材３１１に接続している。識別部材３１１については後述するので、ここでは説明を省略する。
【００４５】
また、ＣＰＵ３０１は本体メモリ３１２に接続している。本体メモリ３１２は書き換え可能な不揮発性のメモリであり、ＲＡＭ３０２と一体であってもよい。
【００４６】
また、ＣＰＵ３０１は、画像形成装置１００に装着されている第一定着器１５０が有する機構群Ｘに接続しており、第一定着器１５０の温度調整制御（以下、温調とも呼ぶ。）や定着リフレッシュ動作の制御を行う。機構群Ｘは、温度センサ３２０、ヒーター３２１、接離機構３２２、モータ３２３、リフレッシュローラのモータ３２４、リフレッシュローラ接離機構３２５を示す。
【００４７】
ここで、温度センサ３２０は、第一定着器１５０が有する複数の温度センサであり、サーミスタ１５９（図３）と、加圧ベルト１５２のサーミスタ（不図示）とを含む。
【００４８】
ここで、ヒーター３２１は、第一定着器１５０が有する複数のヒーターであり、ハロゲンヒーター１６１（図３）と、加熱ローラ１６３の内部のハロゲンヒーター（不図示）とを含む。
【００４９】
また、ＣＰＵ３０１は、画像形成装置１００に装着されている第二定着器１７０の機構群Ｘに接続しており、第二定着器１７０の温度調整制御（以下、温調とも呼ぶ。）や定着リフレッシュ動作の制御を行う。第二定着器１７０の機構群Ｘについては、第一定着器１５０の機構群Ｘと同様であるから、同じ符号を付すことにより説明を省略する。（上述の機構群Ｘの説明においては、第一定着器１５０を第二定着器１７０に、加圧ベルト１５２を加圧ローラ１７２に、加熱ローラ１６３を加圧ローラ１７２に、それぞれ置き換えて読めばよい。）
本実施例では、各機構をＣＰＵ３０１が制御する。しかしながら、たとえばそれぞれの機構の動作を制御する複数のＣＰＵ回路部と、複数のＣＰＵ回路部に接続して全体を制御するメインのＣＰＵ回路部と、で構成してもよい。
【００５０】
（３．画像形成部）
画像形成装置１００は、画像形成部３０９（図２）として、ステーション１２０、１２１、１２２、１２３と、中間転写体としての中間転写ベルト１１５と、転写部としての転写ローラ１１６とを備える（図１）。
【００５１】
ステーション１２０、１２１、１２２、１２３は、それぞれイエロー、マゼンタ、シアン、ブラックのトナー像を形成して中間転写ベルト１１５に形成する。
【００５２】
ステーション１２０の構成を説明する。像担持体としての感光ドラム１１０は、図１において反時計回りに回転する。帯電部としての一次帯電器１１１は感光ドラム１１０を一様の表面電位に帯電する。露光部としてのレーザユニット１１２は、レーザ光を出力する光源１１３を有しており、感光ドラム１１０上に原稿画像に応じた静電潜像を形成する。現像部としての現像器１１４は、トナーを用いて感光ドラム１１０上に形成された静電潜像を現像してトナー像を形成する。ステーション１２１、１２２、１２３の構成はステーション１２０と同様であるから、説明を省略する。
【００５３】
ステーション１２０、１２１、１２２、１２３が形成したトナー像は、中間転写ベルト１１５上に転写される。転写ローラ１１６は、中間転写ベルト１１５上のトナー像を記録材収納部１０３から搬送される記録材１０２に転写する。
【００５４】
（４．定着部）
（４．１．タンデム定着）
定着部としての第一定着器１５０および第二定着器１７０は、記録材１０２に熱と圧力を加えることで記録材１０２に転写されたトナー像を記録材１０２に定着する（図１）。
【００５５】
第二定着器１７０は、第一定着器１５０よりも記録材１０２の搬送方向に対して下流側に配置されている。第二定着器１７０は、第一定着器１５０が定着した記録材１０２上のトナー像に光沢を付与したり、定着処理に多くの熱量を必要とする坪量の大きな記録材（たとえば厚紙など）に対して第一定着器１５０だけでは不足する熱量を補ったりする目的で使用される。
【００５６】
一方、第一定着器１５０だけで定着が可能な場合には第二定着器１７０を用いなくてよいので、エネルギー消費量低減の目的で記録材１０２は第二定着器１７０を経由せずに搬送経路１３０にて搬送される。例えば、記録材１０２が普通紙や薄紙の場合であって、光沢を多く付加する設定がされていない場合などである。第二定着器１７０に記録材１０２を搬送する（タンデム定着ルート）か、第二定着器１７０を迂回して記録材１０２を搬送する（バイパスルート）かは、ＣＰＵ３０１がフラッパ１３１を切り替えることで制御する。
【００５７】
（４．２．定着器の構成）
第一定着器１５０および第二定着器１７０は、それぞれ画像形成装置１００に設けられた第一装着部１４１および第二装着部１４２（装着部）に着脱可能に設けられている。第一定着器１５０および第二定着器１７０は、それぞれ以下の構成を有する定着器へ、交換することが可能である。
【００５８】
第一定着器１５０には、記憶部としてのメモリ１５４が設置されている。第二定着器１７０には、記憶部としてのメモリ１７４が設置されている。詳しくは後述する。
【００５９】
また、第一定着器１５０にはセンサ１５３、１５５が、第二定着器１７０にはセンサ１７３、１７５が設けられている。これらのセンサは、記録材１０２が搬送されたことを検知するセンサである。また、それぞれの定着器において、記録材１０２の搬送方向上流側のセンサ１５５、１７５は、記録材１０２がそれぞれの定着器に搬送されたことを検知する検知部としても機能する。詳しくは後述する。
【００６０】
図３は定着部の一例を示す断面図である。図３を基に、第一定着器１５０の詳細な構成について説明する。
【００６１】
第一定着器１５０は定着ローラ１５１（定着部材）（回転体）と加圧ベルト１５２（加圧部材）（回転体）を有しており、これらが記録材１０２上のトナー像を定着処理するためのニップ部Ｎを形成する。
【００６２】
定着ローラ１５１は、中空ローラであり、その内部に加熱源としてハロゲンヒーター１６１を内蔵している。温度検知部としてのサーミスタ１５９は定着ローラ１５１の温度を測るセンサである。ＣＰＵ３０１はサーミスタ１５９により検出された温度の情報を基にハロゲンヒーター１６１のＯＮ／ＯＦＦを制御する。これは、定着ローラ１５１の温度を所定の温度に維持、調整するためである。尚、所定の温度には誤差を含む。
【００６３】
加圧ベルト１５２は、３つのローラに支持される無端状のベルトである。加圧ベルト１５２の内周面には、加圧ベルト１５２を定着ローラ１５１に向けて押圧する加圧パッド１６４が設けられている。３つのローラのうちの１つである加熱ローラ１６３は中空ローラであり、その内部に加熱源としてのハロゲンヒーター（不図示）を内蔵しており、加圧ベルトを加熱する。加圧ベルト１５２も定着ローラ１５１と同様に、温度を測るセンサとしてのサーミスタ（不図示）による検出温度情報を基に加熱ローラ１６３のハロゲンヒーター（不図示）をＣＰＵ３０１が制御する。その結果、加圧ベルト１５２の温度が所定の温度に維持、調整される。
【００６４】
定着ローラ１５１は駆動源としてのモータ３２３（図２）により回転駆動され、図３の矢印Ａの方向に記録材１０２を搬送する。加圧ベルト１５２は定着ローラ１５１に従動回転する構成となっている。
【００６５】
また、第一定着器１５０は、定着ローラ１５１と加圧ベルト１５２とが当接してニップ部を形成する当接状態と離間する状態とを取り得るように加圧ベルト１５２を移動させる接離機構３２２（図２）を有する。
【００６６】
一方、第二定着器１７０は、加圧部材として加圧ベルトではなく加圧ローラ１７２を有し、定着ローラ１７１（定着部材）と加圧ローラ１７２（加圧部材）が記録材１０２上のトナー像を定着処理するためのニップ部を形成する（図１）。加圧ローラ１７２は、中空ローラであり、内部に加熱源としてのハロゲンヒーター（不図示）を内蔵している。また、加圧ローラ１７２は温度センサとしてサーミスタ（不図示）を備える。ＣＰＵ３０１がサーミスタ（不図示）とハロゲンヒーター（不図示）とを制御することにより、加圧ローラ１７２の温度が所定の温度に維持、調整される。
【００６７】
第二定着器１７０のその他の構成は第一定着器１５０と同様であるから、説明は省略する。
【００６８】
また、以下の説明においても、第一定着器１５０を用いて説明するが、特に断りがない限り第二定着器１７０においても同様である。（この場合、第一定着器１５０に係る構成を第二定着器１７０に係る構成に置き換えて読めばよい。）
尚、本実施例では、第一定着器１５０と第二定着器１７０とで加圧側の構成が異なるが、同じ構成としてもよい。すなわち、第一定着器１５０と第二定着器１７０の両方の加圧側の構成が加圧ベルトであってもよいし、第一定着器１５０と第二定着器１７０の両方の加圧側の構成が加圧ローラであってもよい。また、第一定着器１５０の加圧側の構成を加圧ローラとし、第二定着器１７０の加圧側の構成を加圧ベルトとしてもよい。
【００６９】
（４．３．リフレッシュローラ）
次に、回転体の表面を摺擦処理する摺擦回転体としてのリフレッシュローラ１５６について説明する。第一定着器１５０の定着ローラ１５１の表面を摺擦処理する場合を例に説明する。尚、第二定着器１７０においても同様であるので、説明を省略する。
【００７０】
本実施例では、リフレッシュローラ１５６は、定着ローラ１５１の表面を摺擦処理する。リフレッシュローラ１５６は、定着ローラ１５１に対して接離可能に配置され、定着ローラ１５１の周面を摺擦可能である。リフレッシュローラ１５６は、周面に砥粒が固定され、定着ローラ１５１と周速差を持たせて回転駆動されることにより定着ローラ１５１の周面を粗す粗しローラである。
【００７１】
具体的には、リフレッシュローラ１５６は、外径１２ｍｍのステンレスパイプ（ＳＵＳ３０４）の基材の周面に、接着層を介して砥粒を密に接着した摺擦層を設けている。
【００７２】
市販されている各種の砥粒又は各種の砥粒の混合物を接着層で接着処理して摺擦層を形成することができる。市販されている砥粒の例は、酸化アルミニウム、水酸化酸化アルミニウム、酸化ケイ素、酸化セリウム、酸化チタン、ジルコニア、リチウムシリケート、窒化ケイ素、炭化ケイ素、酸化鉄、酸化クロム、酸化アンチモン、ダイヤモンド等である。
【００７３】
ここでは、摺擦層の砥粒として、酸化アルミニウム砥粒（アルミナ系砥粒、アランダム、モランダム）を用いた。酸化アルミニウム砥粒は、最も幅広く用いられる砥粒で、定着ローラ１５１に比べて十分硬度が高く、鋭角形状のため切削性に優れており、摺擦層として好適である。リフレッシュローラ１５６による摺擦処理後の定着ローラ１５１の表面粗さが後述する定着リフレッシュ動作の効果を満たすためには、摺擦層の砥粒の粒径は、５μｍ以上２０μｍ以下が好ましいことが実験により確認されている。
【００７４】
リフレッシュローラ１５６は、リフレッシュローラ接離機構３２５により定着ローラ１５１と当接する当接状態と離間する離間状態とを取り得るように移動する。ＣＰＵ３０１はリフレッシュローラ接離機構３２５を制御して、リフレッシュローラ１５６の当接―離間状態を制御する。
【００７５】
また、リフレッシュローラ１５６は、駆動源としてリフレッシュローラのモータ３２４を有しており、定着ローラ１５１と周速差を持って回転駆動される。ＣＰＵ３０１は、リフレッシュローラのモータ３２４を制御して、リフレッシュローラ１５６の回転や停止を制御する。尚、リフレッシュローラ１５６は、定着ローラ１５１の表面の移動方向と同一方向に相対速度を持たせても、逆方向に相対速度差を持たせてもよい。
【００７６】
リフレッシュローラ１５６は、リフレッシュローラ接離機構３２５により定着ローラ１５１に当接されている状態でリフレッシュローラのモータ３２４により回転駆動されることで、定着ローラ１５１の周面を摺擦する。
【００７７】
ＣＰＵ３０１は、リフレッシュローラ接離機構３２５とリフレッシュローラのモータ３２４を制御することにより、リフレッシュローラ１５６に定着ローラ１５１の摺擦処理（定着リフレッシュ動作）を実行させる。ここで、定着リフレッシュ動作は、定着ローラ１５１の表面状態を改善させるための動作であり、リフレッシュローラ１５６の摺擦処理により、定着ローラ１５１の長手方向の表面粗さを均される。定着リフレッシュ動作の詳細については、後述する。
【００７８】
（５．定着器の載せ替えシステム）
定着器の載せ替えシステムについて説明する。
【００７９】
画像形成装置１００は、複数の種類やサイズの記録材１０２に印刷が可能である。本実施例の画像形成装置１００では、より高品質な成果物を得るために、画像形成可能な記録材１０２のうち定着する記録材１０２の種類や、操作者の好みに応じて使用目的の異なる定着器を入れ替えて使用することができる。
【００８０】
例えば、記録材１０２として封筒を使用する場合とそれ以外の場合とで、使用する定着器を変える場合である。記録材１０２として封筒を使用するときには封筒専用の定着器を用いる。封筒は袋状に綴じられていることから、定着処理時に与える圧により皺が発生しやすい。そのため、定着ローラ１５１と加圧ベルト１５２間の圧力（以下、ニップ圧とも呼ぶ）を封筒に合わせて調整された封筒専用の定着器を用いることが望ましい。
【００８１】
尚、第一定着器１５０を例に説明したが、第二定着器１７０においても同様である。
【００８２】
このように、本実施例の画像形成装置１００ならば、操作者は、自身が印刷したい記録材１０２の種類や好みに応じた定着器に入れ替えて使用することが可能である。
【００８３】
定着器を入れ替える場合、操作者は前扉１４０を開けて、既に画像形成装置１００に装着されている定着器を取り出す。そして操作者は取り出した定着器とは別の定着器を画像形成装置１００に装着して、前扉１４０を閉じる。本実施例では、以上のように載せ替えることができる定着器は、第一定着器１５０、第二定着器１７０の双方となっている。
【００８４】
（６．記録材の端部による光沢ムラについて）
定着リフレッシュ動作が必要な理由について説明する。
【００８５】
定着ローラ１５１は外径６８ｍｍのアルミニウムからなる基層の周囲にゴム硬度２０°（ＪＩＳ−Ａ１ｋｇ加重）の厚さ約１．０ｍｍのシリコンゴムの弾性層を配置している。弾性層の表面は厚さ３０μｍのフッ素樹脂チューブからなる離型層により被覆されている。
【００８６】
そして、画像形成装置１００において画像形成する際に、第一定着器１５０は定着ローラ１５１と、加圧ベルト１５２の間にニップ部Ｎを形成する。
【００８７】
本実施例のように、オイルレス定着方式において溶融性が高いトナーを使用する場合、定着ローラ１５１の表面状態が記録材１０２上のトナー層の表面に反映されやすい。すなわち、定着処理により定着ローラ１５１の表面の細かい凹凸の影響が出力画像の表面状態に現れやすくなるのである。このような性質を定着画像の写像性と呼ぶ。トナーの溶融性が向上して写像性が高まると、光沢度が高くて高画質の画像を形成するために、定着ローラ１５１の表面状態を維持することが重要になる。
【００８８】
図５は定着部が記録材をニップして搬送する状態を説明する図である。
【００８９】
図６は、記録材の端部による光沢ムラを説明する図である。  初期状態の定着ローラ１５１は、全体が一様な鏡面状態である。ここで、周面の表面粗さ（十点平均粗さ）Ｒｚは、０．１μｍ〜０．３μｍ程度であった。以下、表面粗さＲｚは、（株）小坂研究所の表面粗さ測定器ＳＥ−３４００を使用して測定した十点平均粗さ（ＪＩＳ規格に準拠）である。測定条件は、送り速さ：０．５ｍｍ／ｓｅｃ、カットオフ：０．８ｍｍ、測定長さ：２．５ｍｍである。
【００９０】
第一定着器１５０において、記録材１０２の定着処理が累積すると、記録材１０２の端部との接触や、紙粉、オフセットトナーなどによって定着ローラ１５１の表面状態が変化して、定着ローラ１５１の表面が徐々に粗れてくる。定着ローラ１５１の回転軸の方向において一定の位置を記録材１０２が繰り返し通過することで、定着ローラ１５１の（Ｉ）非通過部、（ＩＩ）通過部、（ＩＩＩ）境界領域における定着ローラ１５１の表面の粗れ方が異なってくる。
【００９１】
ここで、記録材１０２の端部とは、記録材１０２の搬送方向と垂直な方向の端部のことであり、以下、エッジ部と称する。
（Ｉ）非通過部は、記録材１０２が通過しない領域であり、記録材１０２に接触することがない。（Ｉ）非通過部では、定着ローラ１５１の表面が専ら加圧ベルト１５２の表面に当接する。
（ＩＩ）通過部では、記録材１０２が通過する領域であり、記録材１０２が接触する。（ＩＩ）通過部では、記録材１０２の繊維、記録材１０２の填料、トナーと共に記録材１０２上に存在する現像剤の外添剤等が接触して定着ローラ１５１の表面が徐々に均される。
（ＩＩＩ）境界領域は、通過部と非通過部の境界に位置して記録材１０２のエッジ部に繰り返し接触するため、（ＩＩ）通過部よりも表面粗さが粗くなる。図６は、定着ローラ１５１の（ＩＩＩ）境界領域に相当する部分に、記録材１０２のエッジ部による荒れが生じている様子を示している。
【００９２】
未定着のトナー像を記録材１０２に定着させる過程で、定着ローラ１５１の微小な表面形状が定着処理された定着画像の表面に転写される。
【００９３】
図６に示すように、定着ローラ１５１の（ＩＩ）通過部と（ＩＩＩ）境界領域とで表面状態が異なると、それに対応して定着画像の表面に表面状態の差が生じ、定着画像に光沢ムラ（グロスムラ）が生じる。また、（ＩＩＩ）境界領域の幅は、１〜２ｍｍ程度で狭いため、（Ｉ）非通過部と（ＩＩ）通過部の間で生じる光沢差は、広い領域での光沢ムラ（グロスムラ）として印象が大きい。
【００９４】
さらに、定着画像の光沢ムラは、記録材１０２の紙種にも依存する。例えば、普通紙では視認できないレベルの光沢ムラであっても、表面性の平滑性が高く高画質を要求される高光沢のグロスコート紙上の定着画像では光沢ムラが目立って顕著になる。グロスコート紙上の定着画像では、定着ローラ１５１の（ＩＩＩ）境界領域（他の領域より粗い）に対応する位置に低光沢のスジとなって目立つとともに、（Ｉ）非通過部と（ＩＩ）通過部の間で生じる光沢差も目立つ。よって、全体として定着画像の光沢ムラが顕著になる。
【００９５】
このように、（Ｉ）非通過部と（ＩＩ）通過部とで定着ローラ１５１の表面の粗さが異なってくることで、定着画像上に光沢度の差が生じる。特に、（ＩＩＩ）境界領域は粗くなりやすく、（Ｉ）非通過部と（ＩＩ）通過部の両方に対して光沢度の差を生じる。
【００９６】
尚、第一定着器１５０を例に説明したが、第二定着器１７０においても同様であるので、説明を省略する。
【００９７】
定着リフレッシュ動作は、定着ローラ１５１の表面状態を改善させることによって、定着ローラ１５１の表面の粗れ方の違いによって生じる光沢ムラを防ぐことを目的として実行される。
【００９８】
一方、ユーザによってはこの定着リフレッシュ動作を必要としない場合がある。
【００９９】
定着リフレッシュ動作が必要な理由は前述の通り、定着ローラ１５１の（Ｉ）通過部、（ＩＩ）非通過部、（ＩＩＩ）境界領域の間で表面粗さの違いよって発生する画像の光沢ムラを抑制するためである。
【０１００】
この定着ローラ１５１の表面粗さの違いが画像上の光沢ムラとして現れる恐れがあるのは、（Ｉ）通過部、（ＩＩ）非通過部、（ＩＩＩ）境界領域をまたがる大きさの記録材１０２をニップ部に通過させる場合である。例えば、Ａ４サイズの記録材１０２を縦向きに連続して搬送した後に、Ａ３サイズの記録材を通過させる場合である。この場合、Ａ４サイズ・縦の記録材１０２のエッジ部が（ＩＩＩ）境界領域となり、（Ｉ）通過部、（ＩＩ）非通過部、（ＩＩＩ）境界領域間の表面粗さの違いがより大きい幅サイズであるＡ３サイズの記録材１０２の画像面に反映される恐れがある。
【０１０１】
つまり、同じ幅サイズの記録材１０２だけを通過させる場合には、画像上の光沢ムラとして現れにくい。したがって、第一定着器１５０として同じ構成の定着器を記録材１０２の幅サイズごとに載せ替えて使い分けることでも、光沢ムラを抑制できる。定着器の載せ替えシステムでは、光沢性を重視するユーザが、成果物品位の低下を避けるため、印刷する記録材１０２の幅サイズ毎に定着器を用意する場合も少なくない。
【０１０２】
このように記録材１０２のエッジ部による光沢ムラの影響を無視できる場合などには、定着リフレッシュ動作を実行させないようにして、リフレッシュローラ１５６による摺擦傷が画像の光沢性に影響するのを防ぐことが望ましい。
【０１０３】
（７．定着リフレッシュ動作設定）
次に、交換可能に構成された定着器毎に定着リフレッシュ動作の実行可否をユーザによる設定で切り替えることができる構成について説明する。
【０１０４】
尚、第一定着器１５０を例に説明するが、第二定着器１７０においても同様である。
【０１０５】
操作部１８０は、操作者が定着リフレッシュ動作の実行を許容するか否かを設定（以下、定着リフレッシュ動作設定と称する場合がある。）するための設定部として機能する。操作部１８０は、定着リフレッシュ動作の実行を許容するか否かを設定する設定画面を表示させるための選択部を備える。また、操作者が一旦設定された内容を変更する場合も同様に操作部１８０を介して行う。
【０１０６】
操作部１８０は、操作者により設定画面を表示させるための選択部が選択されると、設定部としての操作部１８０は図７に示すような、選択画面が表示される。図７は、定着リフレッシュ動作設定の画面の一例を示す図である。
【０１０７】
操作者は、定着リフレッシュ動作の実行可否、すなわち、定着リフレッシュ動作の実行を許容するか否かの設定を、操作部１８０を通じて行う。具体的には、装着されている第一定着器１５０において定着リフレッシュ動作の実行を許容する場合は、“定着リフレッシュ動作を実行させる”を選択する。一方、操作者は、定着リフレッシュ動作の実行を許容しない場合は、“定着リフレッシュ動作を実行しない”を選択する。尚、定着リフレッシュ動作の実行可否の設定は、操作部１８０に備えられている選択キーを用いて設定する構成としてもよいし、操作部１８０の表示部をタッチパネル方式として画面上の選択肢をタッチすることで設定する構成としてもよい。
【０１０８】
（８．定着器のメモリ）
本実施例では、ＣＰＵ３０１は、上述のように操作部１８０にて選択された第一定着器１５０に対する定着リフレッシュ動作の実行可否を示す情報を、第一定着器１５０のメモリ１５４に記録する。
【０１０９】
本実施例では、定着器の載せ替えシステムを採用していることから、第一定着器１５０に記憶部としてのメモリ１５４を設けており、第二定着器１７０に記憶部としてのメモリ１７４を設けている。メモリ１５４、１７４は、ＥＥＰＲＯＭ、フラッシュメモリなどに代表される書き換え可能な不揮発性のメモリ（記憶部）である。さらに、画像形成装置１００に装着された状態にある第一定着器１５０と第二定着器１７０だけでなく、載せ替え用の定着器として画像形成装置１００外に用意されている定着器にも同様にメモリが設けられている。
【０１１０】
ここで、第一定着器１５０と第二定着器１７０を含む定着器群にメモリを設けた理由は、以下の問題を解決するためである。つまり、第一定着器１５０及び／又は第二定着器１７０が画像形成装置１００から一旦取り出されてしまい、さらにこの取り出された定着器が画像形成装置１００に再度装着された場合に生じる問題を解決するためである。以下では第一定着器１５０を例に説明する。第二定着器１７０においても同様であるので、説明を省略する。
【０１１１】
具体的には、以下のようなシチュエーションが想定される。載せ替え対象が第一定着器１５０のケースである。
【０１１２】
たとえば、定着リフレッシュ動作が許容されている場合、第一定着器１５０は記録材１０２が５００枚搬送された後に、定着リフレッシュ動作を行うとする。操作者は、第一定着器１５０として、幅サイズ専用ではない定着器Ａと、ある幅サイズ専用の定着器Ｂとを使い分けているとする。操作者は、定着器Ａには定着リフレッシュ動作の実行を許容して使用したいが、定着器Ｂには定着リフレッシュ動作を実行させたくないとする。
【０１１３】
第一定着器１５０として幅サイズ専用ではない定着器Ａが装着されている場合において、操作者は、操作部１８０を通じて定着リフレッシュ動作の実行を許容する設定を行う。すると、第一定着器１５０として装着されている定着器Ａには、５００枚搬送された後に、自動的に定着リフレッシュ動作が実行される。後日、ある幅サイズ専用の定着器Ｂでの印刷が必要になった場合には、操作者は、定着器Ｂへ入れ替えるために定着器Ａを画像形成装置１００から取り出す。
【０１１４】
従来、ＣＰＵは第一定着器への記録材の搬送枚数を画像形成装置の本体に設けられたメモリで定着リフレッシュ動作を実行させるか否かの設定を管理することで、定着リフレッシュ動作を実行させるか否かを制御している。定着器Ｂに載せ替えただけでは、定着器Ａが装着されていたときの設定を引き継いで、定着器Ｂでも定着リフレッシュ動作を実行させてしまう。この場合、操作者が定着器毎に定着リフレッシュ動作を許容するか否かを使い分けたい場合には、定着器を載せ替える度に、設定をし直すことになる。具体的には、操作者はある幅サイズ専用の定着器Ｂへ入れ替えた場合には、定着リフレッシュ動作を許容しない設定にしてから印刷ジョブを実行させることになる。また、再び幅サイズ専用ではない定着器Ａを使用する場合には、定着器Ｂから定着器Ａに入れ替えた後、再度定着リフレッシュ動作を許容する設定にしてから印刷ジョブを実行させることになる。
【０１１５】
このように、定着器毎に定着リフレッシュ動作を許容するか否かを使い分けたい操作者にとって、定着器を載せ替える度に、定着リフレッシュ動作の設定をし直すのは、手間である。すなわちユーザビリティの低下に繋がる。
【０１１６】
そのため、本実施例ではメモリ１５４を第一定着器１５０に設けているのである。これにより、第一定着器１５０や載せ替え用の定着器は、上述のように操作部１８０にて選択された設定、つまり定着リフレッシュ動作を許容するか否かの設定を示す情報（設定情報）を、定着器毎に記憶可能となる。
【０１１７】
ＣＰＵ３０１は、例えば図８に示すように、定着リフレッシュ動作を許容するか否かの設定を示す情報（設定情報）を画像形成装置１００に装着されている第一定着器１５０のメモリ１５４に保持させるようにしている。具体的には、操作者により操作部１８０を通じて“定着リフレッシュ動作を実行させる”が選択された場合には、定着リフレッシュ動作の実行を許容することを示す情報として“実行する”をメモリ１５４に保持させる。操作者により操作部１８０を通じて“定着リフレッシュ動作を実行させない”が選択された場合には、定着リフレッシュ動作の実行を許容しないことを示す情報として“実行しない”をメモリ１５４に保持させる。尚、メモリ１５４への情報の保持のさせ方はこれに限らず、その第一定着器１５０に対する設定が定着リフレッシュ動作の実行を許容されているか否かを示すものであればよい。ここで、図８は、定着器のメモリが保持している情報の一例を示す図である。
【０１１８】
そして、操作者により第一定着器１５０が再装着されたことに伴い、ＣＰＵ３０１はメモリ１５４から設定情報を取得する。
【０１１９】
ここで、第一定着器１５０が載せ替えられる場合、操作者は前扉１４０を開けて、既に装着されている第一定着器１５０を画像形成装置１００から外側へ引き出し、定着器を載せ替える。そして、第一定着器１５０を引き出し時とは逆方向へ移動させて画像形成装置１００の内部にセットし、前扉１４０を閉じる。
【０１２０】
ＣＰＵ３０１は、開閉センサ３０５からの信号により、前扉１４０が閉じられたことを検知する。ＣＰＵ３０１は前扉１４０が閉じられたことを検知したことに伴い、第一定着器１５０のメモリ１５４にアクセスする。これより第一定着器１５０が装着されているかを確認する。ＣＰＵ３０１はメモリ１５４にアクセスできなれば、第一定着器１５０が装着されていないと判定する。尚、第一定着器１５０が装着されているか否かの判定（確認）方法はこれに限らず、例えば、画像形成装置１００と第一定着器１５０との間の導通状態あるいは非導通状態を検知することにより判定（確認）する構成としてもよい。
【０１２１】
また、電源スイッチ１０１がオフされた状態で載せ替えられた場合、開閉センサ３０５は前扉１４０が閉じられたことを検知できない。そのため、ＣＰＵ３０１は電源スイッチ１０１がオンされたことに伴い、第一定着器１５０のメモリ１５４にアクセスする。これより第一定着器１５０が装着されているかを確認する。ＣＰＵ３０１はメモリ１５４にアクセスできなれば、第一定着器１５０が装着されていないと判定する。
【０１２２】
ＣＰＵ３０１は、第一定着器１５０が再装着されたことに伴いメモリ１５４から取得した設定情報に応じて定着リフレッシュ動作を許容するか否かを制御する。具体的には、メモリ１５４が保持する設定情報が“実行する”であった場合には、定着リフレッシュ動作の実行を許容し、メモリ１５４が保持する設定情報が“実行しない”であった場合には、定着リフレッシュ動作の実行を許容しない。
【０１２３】
（９．定着リフレッシュ動作）
定着リフレッシュ動作を実行する設定がされている定着器が装着されている場合に行う定着リフレッシュ動作について詳細に説明する。
【０１２４】
上述したように、記録材１０２が繰り返しニップ部を通過すると、定着ローラ１５１の長手方向（回転軸の方向）で表面状態の不均一が生じ、光沢ムラに繋がる恐れがある。
【０１２５】
ＣＰＵ３０１は、第一定着器１５０に搬送された記録材１０２の枚数が所定枚数を超えたことに伴って、定着ローラ１５１の表面状態を改善させるための定着リフレッシュ動作を実行させる。本例では、ＣＰＵ３０１は、ＲＡＭ３０２上で記録材１０２の搬送枚数を記録材１０２の幅サイズ毎にカウントしている。記録材１０２の搬送枚数のうちいずれかの幅サイズのカウント値が所定枚数を超えたことに応じて定着リフレッシュ動作を実行させる。以下では、第一定着器１５０を例に説明するが、第二定着器１７０においても同様であるので、説明を省略する。
【０１２６】
リフレッシュローラ１５６は、定着リフレッシュ動作において定着ローラ１５１に摺擦する。これによって定着ローラ１５１の長手方向の表面粗さを均すことにより、定着ローラ１５１の表面状態を改善させる。
【０１２７】
リフレッシュローラ１５６は、記録材１０２の通過によって粗された定着ローラ１５１の表面と比較的粗されていない定着ローラ１５１の表面の両方に対して細かい摺擦傷を多数つけて所望のレベルまで粗す。つまり、リフレッシュローラ１５６は定着ローラ１５１全体の表面状態の差を小さくする。
【０１２８】
これにより、エッジ部（（ＩＩＩ）境界領域）に対応する画像上の位置の低光沢のスジや、（Ｉ）非通過部と（ＩＩ）通過部の光沢差を解消する。つまり、定着ローラ１５１の表面状態を良化（改善）することができる。リフレッシュローラ１５６が付ける傷を細かい多数の摺擦傷とすることで、リフレッシュローラ１５６が定着ローラ１５１上に付けた傷は画像上では視認困難となる。つまり、定着ローラ１５１の表面に付いていた記録材１０２の端部による傷にリフレッシュローラ１５６による細かい摺擦傷を重畳させることによって、定着ローラ１５１上の記録材１０２の端部による傷を記録材１０２上では視認困難となるようにする。
【０１２９】
リフレッシュローラ１５６による摺擦の目的は、定着ローラ１５１の表面に細かい摺擦傷を付けることであり、定着ローラ１５１の表面を削り取って新しい面を出すことではない。リフレッシュローラ１５６は、定着ローラ１５１の表面を実質的に削り取らずに、摺擦傷を付ける。リフレッシュローラ１５６による摺擦は、定着ローラ１５１を研磨するレベルではなく、定着ローラ１５１の表面の凹凸状態を初期の状態に戻す型押し程度のレベルである。
【０１３０】
定着リフレッシュ動作を実行したら、ＣＰＵ３０１はＲＡＭ３０２上のすべての幅サイズについてのカウント値をクリアする。そして再び記録材の幅サイズ毎にカウントしている記録材１０２の搬送枚数のうちいずれかの幅サイズのカウント値が所定枚数を超えたことに応じて定着リフレッシュ動作を実行させる。
【０１３１】
（１０．スタンバイモード）
スタンバイモードとは、画像形成装置１００が画像形成を開始することが可能な状態であって、操作者からの印刷命令（印刷ジョブ）を待っている状態の期間を指す。受付部としての操作部１８０は、画像形成に用いる記録材１０２の種類（表面性、坪量、サイズ等）の設定や、印刷する部数の設定や、片面印刷／両面印刷の設定などの内容を含む印刷ジョブを受け付ける。
【０１３２】
画像形成装置１００の電源スイッチ１０１がオンされると、画像形成装置１００は第一定着器１５０と第二定着器１７０、画像形成部３０９などのそれぞれの部分の画像形成を開始するための準備動作（立上げ動作）を行う。画像形成装置１００が画像形成を開始できる状態となっても（すなわち、立上げ動作が完了しても）開始すべき印刷ジョブがない場合や、印刷ジョブの実行終了後などにスタンバイモードへと移行する。
【０１３３】
画像形成装置１００が画像形成を開始することが可能な状態となったことに伴い、ＣＰＵ３０１は、操作部（報知部）１８０に「印刷できます」などの表示を行う。
【０１３４】
本実施例では、スタンバイモードとなっているとき、印刷ジョブを受け付けてからすぐに印刷が開始できるように、第一定着器１５０と第二定着器１７０での温調（例えば定着ローラ１５１や加圧ベルト１５２の温調）を継続させている。
【０１３５】
尚、画像形成装置１００が画像形成を開始できる状態にする立上げ動作中に印刷予約が入った場合は、スタンバイモードに移行させることなく予約された印刷ジョブの処理（画像形成処理）を直ちに開始させる。
【０１３６】
また、例えば印刷ジョブの実行途中にジャムが発生すると、画像形成装置１００は動作を停止し印刷ジョブを中断する。この場合、ジャムの解消後に画像形成装置１００が画像形成を開始できる状態にする立上げ動作が実行される。このように中断したジョブを再開させる場合、スタンバイモードには移行せず、立上げ動作が完了したことに伴い中断したジョブを再開する。
【０１３７】
（１１．制御フロー）
以上のように、メモリ１５４に定着リフレッシュ動作の実行可否が設定された第一定着器１５０を用いる場合の制御フローを、図９〜１２のフローチャートを用いて説明する。尚、これらのフローチャートは、制御部（記録部）として機能するＣＰＵ３０１が、ＲＯＭ３０３に記憶された制御プログラムに基づいて画像形成装置１００の各種機構の動作を制御することにより行われる。また、第一定着器１５０を例に説明するが、第二定着器１７０においても同様である。
【０１３８】
（１１．１．設定シークエンス）
図９は設定シークエンスのフローチャートである。本例では、デフォルトの設定として予め定着リフレッシュ動作を許容することを示す設定情報をメモリ１５４に保持させておく。操作者は、図９の設定シークエンスにより操作者の好みや用途に応じて設定を変更できる。尚、デフォルトの設定は、定着リフレッシュ動作を許容しない設定としてもよい。ただし、ユーザによる幅サイズ毎の使い分けがされない限り、１つの定着器で複数の幅サイズの記録材１０２を定着処理することが想定されるので、デフォルトの設定は定着リフレッシュ動作を許容するとした方が望ましい。
【０１３９】
操作者により、操作部１８０に備えられている選択部であって設定画面を表示させるための選択部が選択されると、ＣＰＵ３０１は、操作部１８０の表示画面に定着リフレッシュ動作を許容するか否かの設定を行うための設定画面を表示する（Ｓ１０１）。具体的には、例えば図７のように、定着リフレッシュ動作を許容するか否かの設定を促す画面を表示する。
【０１４０】
ＣＰＵ３０１は、操作者により定着リフレッシュ動作を許容するか否かの設定がされるまで待機し、定着リフレッシュ動作を許容するか否かの設定がされたらＳ１０３に移行する（Ｓ１０２）。ＣＰＵ３０１は、操作部１８０からの信号を基に、設定されたこと及びその設定内容を取得する。
【０１４１】
ＣＰＵ３０１は、操作者により定着リフレッシュ動作を許容することが設定された場合、Ｓ１０４に移行し（Ｓ１０３  Ｙｅｓ）、メモリ１５４に定着リフレッシュ動作設定として“実行する”を書き込む（Ｓ１０４）。つまり、ＣＰＵ３０１はメモリ１５４に設定情報として定着リフレッシュ動作を許容することを示す情報を記録する。
【０１４２】
一方、ＣＰＵ３０１は、操作者により定着リフレッシュ動作を許容しないことが設定された場合、Ｓ１０５に移行し（Ｓ１０３  Ｎｏ）、メモリ１５４に定着リフレッシュ動作設定として“実行しない”を書き込む（Ｓ１０５）。つまり、ＣＰＵ３０１はメモリ１５４に設定情報として定着リフレッシュ動作を許容しないことを示す情報を記録する。
【０１４３】
（１１．２．電源オン時及び前扉クローズ時のシークエンス）
図１０は電源スイッチがオンされてからスタンバイモードとなるまでのフローチャートである。
【０１４４】
操作者により電源スイッチ１０１がオンされたことに伴い、ＣＰＵ３０１は起動する。ＣＰＵ３０１は第一定着器１５０が画像形成装置１００に装着されているかを判別する（Ｓ２０１）。第一定着器１５０が装着されていると、ＣＰＵ３０１はメモリ１５４にアクセスできるようになる。第一定着器１５０が装着されていない場合はＳ２０１へ戻る。この場合、ＣＰＵ３０１は操作部１８０に第一定着器１５０の挿入を促すメッセージを表示してもよい。第一定着器１５０が画像形成装置１００に装着されていたら、Ｓ２０２へ移行する。
【０１４５】
ＣＰＵ３０１はメモリ１５４から定着リフレッシュ動作設定（設定情報）を読み出す（Ｓ２０２）。
【０１４６】
ＣＰＵ３０１は、Ｓ２０３で取得した定着リフレッシュ動作設定（設定情報）が“実行する”であった場合、Ｓ２０４に移行する（Ｓ２０３  Ｙｅｓ）。Ｓ２０４においてＣＰＵ３０１は、定着リフレッシュ動作についてのフラグをＯＮとしてＲＡＭ３０２上にセットする。
【０１４７】
一方、ＣＰＵ３０１は、Ｓ２０３で取得した定着リフレッシュ動作設定（設定情報）が“実行しない”であった場合、Ｓ２０５に移行する（Ｓ２０３  Ｎｏ）。Ｓ２０５においてＣＰＵ３０１は、定着リフレッシュ動作についてのフラグをＯＦＦとしてＲＡＭ３０２上にセットする。
【０１４８】
その後、ＣＰＵ３０１は、スタンバイモードに移行する。
【０１４９】
図１１は前扉が開いている状態からスタンバイモードとなるまでのフローチャートである。
【０１５０】
前扉１４０の開閉状態は、ＣＰＵ３０１が前扉１４０の開閉センサ３０５からの信号を基に検知する。前扉１４０が開いている場合、ＣＰＵ３０１は前扉１４０が閉状態となるのを待つ（Ｓ３０１）。また、前扉１４０が開いている場合、ＣＰＵ３０１は操作部１８０に前扉１４０を閉めるように促す表示をしてもよい。ＣＰＵ３０１は前扉１４０が閉じられたことを検知したら（Ｓ３０１）、Ｓ３０２へ移行する。
【０１５１】
Ｓ３０２〜Ｓ３０６は、それぞれ昇順に図１０のＳ２０１〜Ｓ２０５と同じなので説明は省略する。Ｓ３０６の後、スタンバイモードへ移行する。
【０１５２】
（１１．３．定着リフレッシュ動作を実行するか否かについてのシークエンス）
図１２は、定着リフレッシュ動作を実行するか否かに関するフローチャートである。である。具体的には、画像形成装置１００の印刷ジョブを処理する場合のフローチャートを示している。
【０１５３】
ＣＰＵ３０１は、画像形成装置１００が印刷できる状態であるスタンバイモードにおいて、操作部１８０や、外部Ｉ／Ｆ部３０４を介して外部のＰＣ等から受け付けた印刷ジョブ（印刷命令）に対する処理を実行する。このとき、ＣＰＵ３０１は、印刷ジョブの内容として、操作者から印刷する原稿や、印刷する枚数や部数、印刷する記録材１０２の種類の指示も受け付ける。
【０１５４】
ＣＰＵ３０１はステーション１２０〜１２３や第一定着器１５０、第二定着器１７０、搬送部３０８などの画像形成装置１００の各機構を制御することにより、記録材１０２への画像形成処理（印刷処理）を実行させる（Ｓ４０１）。
【０１５５】
ＣＰＵ３０１は、記録材１０２が第一定着器１５０に搬送されたことを検知したら（Ｓ４０２  Ｙｅｓ）、ＲＡＭ３０２上のカウント値をカウントアップさせる（Ｓ４０３）。ここで、ＣＰＵ３０１は、ＲＡＭ３０２上のカウント値のうち、搬送された記録材１０２の幅サイズに対応するカウント値をカウントする。ＣＰＵ３０１は、搬送された記録材１０２の幅サイズの情報を、印刷ジョブの内容として取得している。また、ＣＰＵ３０１は、第一定着器１５０における記録材１０２の搬送方向上流側のセンサ１５５からの信号により、記録材１０２が第一定着器１５０へ搬送されたことを検知する。
【０１５６】
一方、Ｓ４０２において記録材１０２が第一定着器１５０に搬送されたことが検知されない場合、ＣＰＵ３０１は、カウントアップさせない。例えば、印刷ジョブが終了していないにも関わらず、センサ１５５が１枚前の記録材１０２の通過に伴う信号を出力から一定時間が経っても次の記録材１０２の通過に伴う信号が出力されない場合などである。一定時間はタイマー３０７が計測する。このような場合、ＣＰＵ３０１はジャムの発生と判定してジャム処理等のシークエンスに移行する構成としてもよい。
【０１５７】
Ｓ４０４において、ＣＰＵ３０１は、ＲＡＭ３０２が示すすべての幅サイズ毎の搬送枚数の値が所定値以下である場合、Ｓ４０７に移行する。一方、Ｓ４０４において、ＣＰＵ３０１はＲＡＭ３０２が示す幅サイズ毎の搬送枚数の値のうちのいずれかが所定値を超えている場合、Ｓ４０５に移行する。
【０１５８】
Ｓ４０５においてＣＰＵ３０１は、ＲＡＭ３０２上の定着リフレッシュ動作についてのフラグがＯＮである場合、Ｓ４０６に移行し、Ｓ４０６において上述した定着リフレッシュ動作を実行させる。定着リフレッシュ動作が完了したら、ＣＰＵ３０１はＲＡＭ３０２が示すそれぞれの幅サイズについての値をゼロにする。
【０１５９】
一方、Ｓ４０５においてＣＰＵ３０１は、ＲＡＭ３０２上の定着リフレッシュ動作についてのフラグがＯＮでない（すなわちＯＦＦである）場合、Ｓ４０７に移行する。つまり、ＣＰＵ３０１は、ＲＡＭ３０２が示すカウント値に関係なく定着リフレッシュ動作を実行させない。
【０１６０】
ここで、ＲＡＭ３０２上の定着リフレッシュ動作についてのフラグは、電源スイッチ１０１がオンされたことや、前扉１４０が閉じられたことに伴いＣＰＵ３０１がメモリ１５４から読み出した設定情報に基づいてセットされたものである（図１０、図１１）。つまり、制御部としてのＣＰＵ３０１は、メモリ１５４が記憶する設定情報に応じて定着リフレッシュ動作を許容するか否かを制御している。
【０１６１】
Ｓ４０７において、ＣＰＵ３０１は印刷ジョブが終了していない場合Ｓ４０１に移行し、印刷ジョブが終了するまで、Ｓ４０１〜Ｓ４０７の処理を繰り返す。
【０１６２】
前述したように、操作者による第一定着器１５０の交換には、画像形成装置１００の前扉１４０の開閉を伴う。すなわち、操作者によって画像形成装置１００の前扉１４０が開けられた場合には、第一定着器１５０が交換される可能性がある。また、電源スイッチ１０１がオフの間にも、第一定着器１５０が交換されている可能性がある。そのため、電源スイッチ１０１がオンになったことや、前扉１４０が閉じられたことに伴って、都度、第一定着器１５０のメモリ１５４から情報を読み出し、メモリ１５４の設定情報を取得する。
【０１６３】
これにより、ＣＰＵ３０１は、第一定着器１５０のメモリ１５４が保持する設定情報に応じて、すなわち定着器毎に設定された定着リフレッシュ動作設定に応じて、第一定着器１５０に定着リフレッシュ動作を許容するか否かを制御することができる。従って、第一定着器１５０を載せ替える度に操作者が定着リフレッシュ動作を許容するか否かの設定をし直さなくてもよく、ユーザビリティを向上させることができる。
【０１６４】
尚、図１２のフローにおいて、定着リフレッシュ動作のフラグがＯＮか否かの判定（Ｓ４０５）のタイミングは、上述のタイミングに限らない。
【０１６５】
例えば、Ｓ４０３より前の段階でＳ４０５の判定を行い、定着リフレッシュ動作についてのフラグがＯＦＦ（つまり、定着リフレッシュ動作を許容しない設定）の場合にはそもそも搬送枚数のカウントを行わない構成としてもよい。つまり、定着リフレッシュ動作を許容しない設定の場合には、搬送枚数のカウントも行わず、定着リフレッシュ動作も実行させない。
【０１６６】
また例えば、印刷ジョブ処理を開始してから一度定着リフレッシュ動作のフラグがＯＮか否かの判定を行ったら、印刷ジョブが終了するまで定着リフレッシュ動作のフラグがＯＮか否かの判定を行わない構成としてもよい。ただし、この場合であっても、印刷ジョブの途中で前扉１４０が開放された場合（例えばジャム処理の場合など）には、図１１のフローを経て、前扉１４０のクローズ後に定着リフレッシュ動作のフラグがＯＮか否かの判定を行うことが望ましい。前扉１４０が開放状態の間に第一定着器１５０が入れ替えらる恐れがある為である。
【０１６７】
また例えば、Ｓ４０４とＳ４０５の判定の順番を入れ替えてもよい。
【０１６８】
尚、定着リフレッシュ動作の実行タイミングは上述のタイミングに限らない。図１２では、定着リフレッシュ動作のフラグがＯＮの場合であって、ＲＡＭ３０２上でＣＰＵ３０１がカウントした幅サイズ毎の搬送枚数の値のうちのいずれかが所定値を超えた場合、印刷ジョブの途中で実行するとした。しかし、定着リフレッシュ動作のフラグがＯＮの場合であって、ＲＡＭ３０２上でＣＰＵ３０１がカウントした幅サイズ毎の搬送枚数の値のうちのいずれかが所定値を超えた場合、印刷ジョブの終了を待ってから実行するとしてもよい。（Ｉ）通過部、（ＩＩ）非通過部、（ＩＩＩ）境界領域の間で表面粗さの違いよる画像の光沢ムラの影響はより大きな幅サイズの記録材１０２に定着処理した場合に顕著に生じる。つまり、同じ幅サイズの記録材への印刷処理を実行している間には、大きな幅サイズの記録材１０２に定着処理する場合よりも光沢ムラの影響は小さい。印刷ジョブの終了を待ってから実行する構成とすることで、実行中の印刷ジョブが完了するまでの操作者の待ち時間を減らすことができる。
【０１６９】
尚、本実施例では、デフォルトの設定として予め定着リフレッシュ動作を許容することを示す設定情報をメモリ１５４に保持させたが、デフォルトでは設定していない構成としてもよい。そして、図１０や図１１のフローにおいて、メモリ１５４から定着リフレッシュ動作設定が取得できない場合には、図９の設定シークエンスに移行させる構成としてもよい。
【０１７０】
尚、以上の説明において、第一定着器１５０を例に説明したが、第二定着器１７０においても同様である。
【０１７１】
〔実施例２〕
実施例１では、定着リフレッシュ動作の実行を許容するか否かの設定に対応する情報（設定情報）を第一定着器１５０のメモリ１５４に保持させている。そして、ＣＰＵ３０１がその情報に基づいて、定着リフレッシュ動作の実行を許容するか否かの制御をしている。
【０１７２】
実施例２では、設定情報を第一定着器１５０のＩＤと対応付けて本体メモリ３１２に保持させる。つまり、本体メモリ３１２が記憶部（本体記憶部）として機能する。図１３は、本体メモリが保持している情報の一例を示す図である。
【０１７３】
設定情報としては、実施例１と同様に“実行する”又は“実行しない”という定着リフレッシュ動作設定の情報を保持させる。“実行する”は、定着リフレッシュ動作の実行を許容する設定であることを示し、“実行しない”は、定着リフレッシュ動作の実行を許容しない設定であることを示している。
【０１７４】
メモリ１５４は、載せ替え用の定着器、つまり第一定着器１５０として第一装着部１４１に装着可能な他の定着器と区別するために定着器のＩＤ（識別情報）を保持しており、識別部として機能する。
【０１７５】
尚、第二定着器１７０においても同様である。
【０１７６】
その他の構成は実施例１と同様であるので、同じ構成には同符号を付すことにより、詳細な説明を省略する。
【０１７７】
以下、第一定着器１５０を例に説明する。第二定着器１７０についても同様である。
【０１７８】
（１２．制御フロー２）
図１４〜図１６のフローチャートと、実施例１から流用する図１２を用いて、実施例１との差分を中心に説明する。尚、これらのフローチャートは、実行部（記録部）として機能するＣＰＵ３０１が、ＲＯＭ３０３に記憶された制御プログラムに基づいて画像形成装置１００の各種機構の動作を制御することにより行われる。また、第一定着器１５０を例に説明するが、第二定着器１７０においても同様である。
【０１７９】
（１２．１．電源オン時及び前扉クローズ時のシークエンス）
図１４は電源スイッチがオンされてからスタンバイモードとなるまでのフローチャートである。
【０１８０】
Ｓ５０１は、図１０のＳ２０１と同じであるから説明を省略する。
【０１８１】
ＣＰＵ３０１は、画像形成装置１００に装着されている第一定着器１５０のメモリ１５４から、第一定着器１５０のＩＤ（識別情報）を読み出す（Ｓ５０２）。
【０１８２】
ＣＰＵ３０１はＳ５０２で取得した第一定着器１５０のＩＤと対応付けられた定着リフレッシュ動作設定（設定情報）を本体メモリ３１２から読み出す（Ｓ５０３）。具体的には、Ｓ５０２で取得した第一定着器１５０のＩＤを示す情報を本体メモリ３１２が保持しているかをサーチする。ＣＰＵ３０１は、第一定着器１５０のＩＤに対応する情報を本体メモリ３１２が有している場合には、第一定着器１５０のＩＤに対応付けられた設定情報を取得する。
【０１８３】
ＣＰＵ３０１は、本体メモリ３１２がＳ５０２で取得した第一定着器１５０のＩＤについての設定情報が保持されていた場合（Ｓ５０４  Ｙｅｓ）、Ｓ５０６に移行する。
【０１８４】
一方、本体メモリ３１２がＳ５０２で取得した第一定着器１５０のＩＤについての情報を保持していない場合、ＣＰＵ３０１は、Ｓ５０５に移行する（Ｓ５０４  Ｎｏ）。ＣＰＵ３０１は、図１６の設定シークエンスを実行させ、画像形成装置１００に装着されている第一定着器１５０に対して定着リフレッシュ動作を許容するか否かを設定させる（Ｓ５０５）。
【０１８５】
ＣＰＵ３０１は、Ｓ５０３で取得した定着リフレッシュ動作設定（設定情報）が“実行する”であった場合、もしくは、Ｓ５０５において設定された設定情報が“実行する”であった場合、Ｓ５０４に移行する（Ｓ５０６  Ｙｅｓ）。
【０１８６】
一方、ＣＰＵ３０１は、Ｓ５０３で取得した定着リフレッシュ動作設定（設定情報）が“実行しない”であった場合、もしくは、Ｓ５０５において設定された設定情報が“実行しない”であった場合、Ｓ５０８に移行する（Ｓ５０６  Ｎｏ）。
【０１８７】
Ｓ５０７は、図１０のＳ２０４と同じであるから説明を省略する。
【０１８８】
Ｓ５０８は、図１０のＳ２０５と同じであるから説明を省略する。
【０１８９】
その後、ＣＰＵ３０１は、スタンバイモードに移行する。
【０１９０】
図１５は前扉が開いている状態からスタンバイモードとなるまでのフローチャートである。
【０１９１】
Ｓ６０１、Ｓ６０２は、それぞれ図１１のＳ３０１、Ｓ３０２と同様であるから説明を省略する。
【０１９２】
Ｓ６０３、Ｓ６０４は、それぞれ図１４のＳ５０２、Ｓ５０３と同じであるから説明を省略する。
【０１９３】
Ｓ６０５は、図１４のＳ５０４と同じであるから説明を省略する。
【０１９４】
Ｓ６０６は、図１４のＳ５０５と同じであるから説明を省略する。
【０１９５】
Ｓ６０７は、図１４のＳ５０６と同じであるから説明を省略する。
【０１９６】
Ｓ６０８、Ｓ６０９は、それぞれ図１４のＳ５０７、Ｓ５０８と同じであるから説明を省略する。
【０１９７】
その後、ＣＰＵ３０１は、スタンバイモードに移行する。
【０１９８】
図１４、図１５のフローにおいて一度定着リフレッシュ動作設定を登録すれば、次回の装着時以降は、ＣＰＵ３０１により、Ｓ５０４やＳ６０５でＹｅｓと判定される。そのため、操作者により定着リフレッシュ動作の設定をすることなく、ＣＰＵ３０１は、本体メモリ３１２から取得した第一定着器１５０のＩＤについての設定情報に基づいて、自動的に定着リフレッシュ動作の実行を許容するか否かの制御を行うことができる。
【０１９９】
（１２．２．設定シークエンス）
図１６は設定シークエンスのフローチャートである。この設定シークエンスは、図１４のＳ５０５や図１５のＳ６０６の他、操作部１８０に備えられている選択部であって設定画面を表示させるための選択部が選択された場合に実行される。
【０２００】
ＣＰＵ３０１は、操作部１８０の表示画面に定着リフレッシュ動作を許容するか否かの設定を行うための設定画面を表示する（Ｓ７０１）。具体的には、例えば図７のように、定着リフレッシュ動作を許容するか否かの設定を促す画面を表示する。
【０２０１】
Ｓ７０２は、図９のＳ１０２と同じであるから説明を省略する。
【０２０２】
ＣＰＵ３０１は、操作者により定着リフレッシュ動作を許容することが設定された場合、Ｓ７０４に移行する（Ｓ７０３  Ｙｅｓ）。
【０２０３】
Ｓ７０４において、ＣＰＵ３０１は、本体メモリ３１２に定着リフレッシュ動作設定として“実行する”を書き込む。ここで、ＣＰＵ３０１は、画像形成装置１００に装着されている第一定着器１５０のＩＤと対応付けて記録する。つまり、ＣＰＵ３０１は本体メモリ３１２に設定情報として定着リフレッシュ動作を許容することを示す情報を、第一定着器１５０のＩＤと対応付けて記録する。
【０２０４】
一方、ＣＰＵ３０１は、操作者により定着リフレッシュ動作を許容しないことが設定された場合、Ｓ７０５に移行する（Ｓ７０３  Ｎｏ）。
【０２０５】
Ｓ７０５において、ＣＰＵ３０１は、本体メモリ３１２に定着リフレッシュ動作設定として“実行しない”を書き込む。ここで、ＣＰＵ３０１は、画像形成装置１００に装着されている第一定着器１５０のＩＤと対応付けて記録する。つまり、ＣＰＵ３０１は本体メモリ３１２に設定情報として定着リフレッシュ動作を許容しないことを示す情報を、第一定着器１５０のＩＤと対応付けて記録する。
【０２０６】
尚、Ｓ７０４、Ｓ７０５において。第一定着器１５０のＩＤは、電源スイッチ１０１がオンされたことや前扉１４０が閉じられたことに伴うシークエンス（図１４、図１５）において取得されている。既に本体メモリ３１２に第一定着器１５０のＩＤが記録されている場合は、それと対応付けるように定着リフレッシュ動作設定の情報を記録する。本体メモリ３１２に第一定着器１５０のＩＤが記録されていない場合は、第一定着器１５０のＩＤと定着リフレッシュ動作設定の情報を対応付けるように記録する。
【０２０７】
（１２．３．定着リフレッシュ動作を実行するか否かについてのシークエンス）
図１２を流用して説明する。
【０２０８】
図１２のＳ４０５において判定するＲＡＭ３０２上のフラグは、電源スイッチ１０１のオンや、前扉１４０が閉じられたことに伴いＣＰＵ３０１が第一定着器１５０についての設定情報に基づいてセットされたものである（図１４、図１５）。つまり、制御部としてのＣＰＵ３０１は、第一定着器１５０のＩＤに対応付けられて本体メモリ３１２が記憶する設定情報に応じて定着リフレッシュ動作を許容するか否かを制御している。
【０２０９】
その他の点については実施例１と同様であるから、説明を省略する。
【０２１０】
尚、本実施例では、第一定着器１５０のＩＤに対応付けられて本体メモリ３１２が記憶する設定情報に応じてＲＡＭ３０２上に定着リフレッシュ動作についてのフラグを立てた。しかし、本体メモリ３１２の設定情報そのものをフラグのＯＮ・ＯＦＦに対応するものとする構成としてもよい。
【０２１１】
前述したように、操作者による第一定着器１５０の交換には、画像形成装置１００の前扉１４０の開閉を伴う。すなわち、操作者によって画像形成装置１００の前扉１４０が開けられた場合には、第一定着器１５０が交換される可能性がある。また、電源スイッチ１０１がオフの間にも、第一定着器１５０が交換されている可能性がある。そのため、電源スイッチ１０１がオンになったことや、前扉１４０が閉じられたことに伴って、都度、第一定着器１５０のメモリ１５４から識別情報を読み出す。そして画像形成装置１００に装着されている第一定着器１５０のＩＤに対応する設定情報を本体メモリ３１２から取得する。
【０２１２】
これにより、ＣＰＵ３０１は、定着器毎に設定された定着リフレッシュ動作設定に応じて、第一定着器１５０に定着リフレッシュ動作を許容するか否かを制御することができる。従って、第一定着器１５０を載せ替える度に操作者が定着リフレッシュ動作を許容するか否かの設定をし直さなくてもよく、ユーザビリティを向上させることができる。
【０２１３】
（１３．識別情報）
尚、本実施例では識別情報を有する識別部としてメモリ１５４、１７４を用いて説明したが、本実施例において識別部の構成はこれに限らない。
【０２１４】
例えば、識別部としての抵抗体を第一定着器１５０、第二定着器１７０、載せ替え用の定着器として画像形成装置１００外に用意されている定着器のそれぞれに設ける構成である。
【０２１５】
これらの抵抗体（第一定着器１５０、第二定着器１７０、載せ替え用の定着器に設けられている抵抗体）は、識別情報を示すために互いに異なる抵抗値のものが用いられている。
【０２１６】
ＣＰＵ３０１は、第一定着器１５０が画像形成装置１００に装着された状態で、第一定着器１５０の抵抗体に規定電圧を印加した際に抵抗体に流れる電流値を検出する。
【０２１７】
具体的には、画像形成装置１００は、第一定着器１５０を識別する手段（図２に示す識別部材３１１）として、抵抗体に規定電圧を印加する電圧印加部と抵抗体に流れる電流を計測する電流計とを有している。識別部材３１１は、第一定着器１５０が画像形成装置１００に装着されている状態で、第一定着器１５０の識別部としての抵抗体と接続する。ＣＰＵ３０１は、この電流計の出力をモニタすることにより、第一定着器１５０の識別情報を取得する構成となっている。
【０２１８】
オームの法則により規定電圧を印加するとき、抵抗値と電流値は一対一に対応する。ＣＰＵ３０１は、電流計の出力を取得することにより、抵抗体の抵抗値を求めることができる。第一定着器１５０と載せ替え用の定着器は互いに異なる抵抗値の抵抗体を備えているので、ＣＰＵ３０１は、電流計の出力の違いから定着器を識別することができる。すなわち、抵抗値が識別情報を示している。
【０２１９】
この場合、図１４のＳ５０２や図１５のＳ６０３において、ＣＰＵ３０１は、以上の方法で、第一定着器１５０の抵抗体の抵抗値を取得する。
【０２２０】
尚、本体メモリ３１２への定着器のＩＤの書き込み（記録）方法は、抵抗値を識別情報として記録する方法に限らない。例えば、本体メモリ３１２内に、抵抗体の抵抗値と定着器の名称を対応させる表を保持させておき、定着器の名称（例えば、定着器１）と設定情報と対応付けて記録するようにしてもよい。
【０２２１】
また、ＣＰＵ３０１は、電流計の出力を取得することにより、抵抗体の抵抗値を求めず、抵抗体の抵抗値ごとに異なる電流計の出力値を識別情報として取得してもよい。すなわち、ＣＰＵ３０１は定着器のＩＤとして電流計の出力値を本体メモリ３１２に記録する構成としてもよい。
【０２２２】
尚、第二定着器１７０を識別する手段についても同様である。
【０２２３】
ＣＰＵ３０１は、第一定着器１５０を識別する手段としての電圧印加部と電流計、及び、第二定着器１７０を識別する手段としての電圧印加部と電流計と接続している。第一定着器１５０が画像形成装置１００に装着されると、第一定着器１５０を識別する手段としての電圧印加部と電流計は、第一定着器１５０が有する抵抗体と電気的に接続できるようになる。また、第二定着器１７０が画像形成装置１００に装着されると、第二定着器１７０を識別する手段としての電圧印加部と電流計は、第二定着器１７０が有する抵抗体と電気的に接続できるようになる。
【０２２４】
また、定着器を識別する方法の他の例として、例えば、定着器（第一定着器１５０、第二定着器１７０、載せ替え用の定着器）に識別部として、複数のスイッチを備えるディップスイッチを設ける構成としてもよい。
【０２２５】
具体的には、識別情報として、定着器ごとに異なるスイッチが予めＯＮされた状態となっている（定着器ごとにＯＮ状態のスイッチの位置の組み合わせが異なる）。ＣＰＵ３０１と画像形成装置１００に装着されている定着器のディップスイッチは接続されており、ＯＮ状態のスイッチはＣＰＵ３０１からの入力信号に応答してＣＰＵ３０１へ信号を出力する。ＣＰＵ３０１はＯＮ状態のスイッチからの信号を検出する（定着器のＩＤを取得する）ことにより、定着器を識別する。
【０２２６】
例えば、ＣＰＵ３０１は１番と２番のスイッチの両方に信号を入力させたとする。その結果、１番のスイッチの出力信号を検出した場合は定着器１、２番のスイッチの出力信号を検出した場合は定着器２、１番と２番のスイッチの両方の出力信号を検出した場合は定着器３と判定する。
【０２２７】
〔実施例３〕
実施例２では、ＣＰＵ３０１は、定着リフレッシュ動作の実行を許容するか否かの設定に対応する情報（設定情報）を本体メモリ３１２に保持させている。
【０２２８】
本実施例では、ＣＰＵ３０１は、設定情報をサーバ（記憶装置）４００に保持させる（画像形成システム）。
【０２２９】
本実施例では、実施例２との差分についてのみ説明する。
【０２３０】
（１４．画像形成システム）
図１７は、画像形成システムの構成の一例を示す図である。画像形成装置２００、画像形成装置３００は、画像形成装置１００と同様の構成を有する画像形成装置である。複数の画像形成装置（１００、２００、３００）で共有して使用される第一定着器１５０や第二定着器１７０及びそれらと交換可能な定着器の設定情報は、各画像形成装置からネットワーク５００を介してサーバ４００に通知する。サーバ４００は定着器毎の設定情報を集中的に管理する。
【０２３１】
ネットワーク５００を介して設定情報を問い合わせる対象のサーバの設定は各画像形成装置の操作部（例えば画像形成装置１００の操作部１８０）から行う。図１８は、サーバの登録画面の一例を示す図である。画面内のサーバＩＰアドレス一覧には、画像形成システムと同じネットワーク内に存在するサーバ一覧が表示される。操作者は予めこの一覧の中から設定情報を問い合わせるサーバを登録する。例えば、画像形成装置１００において、操作部１８０を通じてサーバ４００を登録した場合、登録されたサーバ４００のＩＰアドレスは本体メモリ３１２に保持され、画像形成装置１００からサーバ４００への設定情報の問い合わせに使用される。
【０２３２】
（１５．サーバの構成）
図１９は、サーバの制御系の構成の一例を示すブロック図である。図１９に示すように、サーバ４００が有するサーバＣＰＵ回路部８００は、ＣＰＵ８０１、ＨＤＤ８０２、ＲＡＭ８０３で構成される。後述するサーバ側のフローチャートの動作は、ＨＤＤ８０２に記憶された制御プログラムに基づいてＣＰＵ８０１により実行される。ＣＰＵ８０１は、制御プログラムの処理を実行するためのワークエリアとしてＲＡＭ８０３を使用する。また、ＲＡＭ８０３は、書き換え可能な不揮発性のメモリであり、画像形成システムにおける定着器毎の設定情報を記憶、管理する。
【０２３３】
また、サーバＣＰＵ回路部８００は、サーバ４００が有する外部Ｉ／Ｆ部８０４と接続している。外部Ｉ／Ｆ部８０４は、ネットワーク（例えばＬＡＮやＷＡＮなど）を介して接続される外部装置と通信するための通信回路である。外部装置としては、画像形成装置１００，２００、３００などが挙げられる。画像形成装置１００とデータのやりとりをする場合、サーバＣＰＵ回路部８００は外部Ｉ／Ｆ部８０４を介して画像形成装置１００側の外部Ｉ／Ｆ部３０４と通信する。これにより、サーバ４００は、画像形成装置１００と通信可能となり、第一定着器１５０や第二定着器１７０についての識別情報や設定情報などのデータのやりとりを行う。
【０２３４】
また、サーバ４００は操作部８０５を備える。操作部８０５は、表示画面や選択キーを備えている。サーバＣＰＵ回路部８００は、操作部８０５への表示内容が制御したり、操作部８０５に入力された情報を取得したりする。
【０２３５】
（１６．制御フロー３）
図２０〜図２４のフローチャートを用いて本実施例の制御フローを説明する。
【０２３６】
尚、画像形成システムにおける画像形成装置側のフローは、画像形成装置１００を例に説明する。画像形成装置１００についてのフローチャートは、実行部（記録部）として機能するＣＰＵ３０１が、ＲＯＭ３０３に記憶された制御プログラムに基づいて画像形成装置１００の各種機構の動作を制御することにより行われる。また、第一定着器１５０を例に説明するが、第二定着器１７０においても同様である。
【０２３７】
また、サーバ４００側のフローチャートは、ＣＰＵ８０１が、ＨＤＤ８０２に記憶された制御プログラムに基づいてサーバ４００の各種機構の動作を制御することにより行われる。
【０２３８】
（１６．１．電源オン時及び前扉クローズ時のシークエンス）
図２０は電源スイッチがオンされてからスタンバイモードとなるまでのフローチャートである。画像形成装置１００側のフローである。
【０２３９】
Ｓ８０１、Ｓ８０２は、図１４のＳ５０１、Ｓ５０２と同じであるから説明を省略する。
【０２４０】
Ｓ８０３において、ＣＰＵ３０１は、サーバ４００に問い合わせコマンドを送信し、Ｓ８０２で読み出した第一定着器１５０のＩＤに対応する定着リフレッシュ動作設定（設定情報）をサーバ４００に問い合わせる。問い合わせコマンドを送信するサーバ４００は、上述したように予め設定されたサーバであり、設定されたサーバ４００のＩＰアドレスが本体メモリ３１２に保持されている。
【０２４１】
Ｓ８０４において、ＣＰＵ３０１は、Ｓ８０３で送信した問い合わせに対するサーバ４００からの返答を待つ。つまり、ＣＰＵ３０１は、第一定着器１５０のＩＤに対応する情報をサーバ４００から取得する。
【０２４２】
ＣＰＵ３０１は、サーバ４００から受信した返答が、第一定着器１５０のＩＤについての設定情報が保持されていることを示す場合（Ｓ８０５  Ｙｅｓ）、Ｓ８０７に移行する。
【０２４３】
ＣＰＵ３０１は、受信した返答が、第一定着器１５０に対する定着リフレッシュ動作設定（設定情報）が設定されていないことを示す場合、Ｓ８０６に移行する（Ｓ８０５  Ｎｏ）。ＣＰＵ３０１は、図２３の設定シークエンスを実行させ、画像形成装置１００に装着されている第一定着器１５０に対して定着リフレッシュ動作を許容するか否かを設定させる（Ｓ８０６）。
【０２４４】
ＣＰＵ３０１は、サーバから取得した定着リフレッシュ動作設定の情報（設定情報）が“実行する”であった場合、もしくは、Ｓ８０６において設定された設定情報が“実行する”であった場合、Ｓ８０８に移行する（Ｓ８０７  Ｙｅｓ）。
【０２４５】
一方、ＣＰＵ３０１は、サーバから取得した定着リフレッシュ動作設定の情報（設定情報）が“実行しない”であった場合、もしくは、Ｓ８０６において設定された設定情報が“実行しない”であった場合、Ｓ８０９に移行する（Ｓ８０７  Ｎｏ）。
【０２４６】
Ｓ８０８は、図１４のＳ５０７と同じであるから説明を省略する。
【０２４７】
Ｓ８０９は、図１４のＳ５０８と同じであるから説明を省略する。
【０２４８】
その後、ＣＰＵ３０１は、スタンバイモードに移行する。
【０２４９】
図２１は前扉が開いている状態からスタンバイモードとなるまでのフローチャートである。画像形成装置１００側のフローである。
【０２５０】
Ｓ９０１〜Ｓ９０３は、それぞれ昇順に図１５のＳ６０１〜Ｓ６０３と同様であるから説明を省略する。
【０２５１】
Ｓ９０４〜Ｓ９１０は、それぞれ昇順に図２０のＳ８０３〜Ｓ８０９と同じであるから説明を省略する。
【０２５２】
その後、ＣＰＵ３０１は、スタンバイモードに移行する。
【０２５３】
次に、サーバ４００側のフローについて説明する。図２２は、定着リフレッシュ動作設定の読み出しに関するサーバ側のフローチャートである。
【０２５４】
Ｓ１００１において、ＣＰＵ８０１は、画像形成装置１００を含むネットワーク５００内の画像形成装置から定着リフレッシュ動作設定についての問い合わせコマンドを受信したかどうかを監視している。ＣＰＵ８０１は、問い合わせコマンドを受信するとＳ１００２に移行する。ここでは、画像形成装置１００から第一定着器１５０についての定着リフレッシュ動作設定の問い合わせコマンドを受信したとする。
【０２５５】
ＣＰＵ８０１は、問い合わせを受けた第一定着器１５０のＩＤに対応する定着リフレッシュ動作設定の情報（設定情報）がＲＡＭ８０３に登録されているかどうかを判定する（Ｓ１００３）。問い合わせコマンドには、画像形成装置１００のＣＰＵ３０１によりＣＰＵ３０１が読みだした第一定着器１５０のＩＤの情報が付与されている。
【０２５６】
ＣＰＵ８０１は、問い合わせを受けた設定情報がＲＡＭ８０３に登録されている場合は、Ｓ１００４に移行する。Ｓ１００４において、ＣＰＵ８０１は、返答コマンドに設定情報を付加する。
【０２５７】
一方、問い合わせを受けた設定情報がＲＡＭ８０３に登録されていない場合は、Ｓ１００５に移行する。Ｓ１００５において、ＣＰＵ８０１は、返答コマンドに定着リフレッシュ動作設定がなかったことを示す情報を付加する。
【０２５８】
ＣＰＵ８０１は、問い合わせ元装置である画像形成装置１００に返答コマンドを送信する（Ｓ１００６）。
【０２５９】
（１６．２．設定シークエンス）
図２３は設定シークエンスのフローチャートである。画像形成装置１００側のフローである。この設定シークエンスは、図２０のＳ８０６や図２１のＳ９０７の他、操作部１８０に備えられている選択部により定着リフレッシュ動作設定を行うことが選択された場合に実行される。本実施例では、定着リフレッシュ動作設定は、操作者により画像形成装置１００の操作部１８０を通じて行われる。
【０２６０】
Ｓ１１０１、Ｓ１１０２は、それぞれ図１６のＳ７０１、Ｓ７０２と同じであるから説明を省略する。
【０２６１】
ＣＰＵ３０１は、操作者により定着リフレッシュ動作を許容することが設定された場合、Ｓ１１０４に移行する（Ｓ１１０３  Ｙｅｓ）。
【０２６２】
Ｓ１１０４において、ＣＰＵ３０１は、設定コマンドに画像形成装置１００に装着されている第一定着器１５０のＩＤ（識別情報）と、定着リフレッシュ動作設定として“実行する”が設定されたことを示す情報とを付加する。
【０２６３】
一方、ＣＰＵ３０１は、操作者により定着リフレッシュ動作を許容しないことが設定された場合、Ｓ１１０５に移行する（Ｓ１１０３  Ｎｏ）。
【０２６４】
Ｓ１１０５において、ＣＰＵ３０１は、設定コマンドに画像形成装置１００に装着されている第一定着器１５０のＩＤ（識別情報）と、定着リフレッシュ動作設定として“実行しない”が設定されたことを示す情報とを付加する。
【０２６５】
Ｓ１１０６においてＣＰＵ３０１は、設定コマンドをサーバ４００に送信する。
【０２６６】
ＣＰＵ３０１は、サーバ４００から定着リフレッシュ動作設定の登録が完了したことを示す完了コマンドを受信したら（Ｓ１１０７）、設定シークエンスを終了する。
【０２６７】
次に、サーバ４００側のフローについて説明する。図２４は、設定シークエンスにおけるサーバ側のフローチャートである。
【０２６８】
Ｓ１２０１において、ＣＰＵ８０１は、画像形成装置１００を含むネットワーク５００内の画像形成装置から定着リフレッシュ動作設定についての設定コマンドを受信したかどうかを監視している。ＣＰＵ８０１は、設定コマンドを受信するとＳ１２０２に移行する。ここでは、画像形成装置１００から第一定着器１５０についての設定コマンドを受信したとする。
【０２６９】
ＣＰＵ８０１は、設定コマンドにより受け付けた情報をＲＡＭ８０３に記録する（Ｓ１２０２）。ここで、ＣＰＵ８０１は、設定情報を第一定着器１５０のＩＤと対応付けてＲＡＭ８０３に記録する。設定コマンドには、設定する第一定着器１５０のＩＤと、設定情報が付与されている。尚、既にＲＡＭ８０３に第一定着器１５０のＩＤが記録されている場合は、それと対応付けるように定着リフレッシュ動作設定の情報を記録する。ＲＡＭ８０３に第一定着器１５０のＩＤが記録されていない場合は、第一定着器１５０のＩＤと定着リフレッシュ動作設定の情報を対応付けるように記録する。
【０２７０】
ＣＰＵ８０１は、設定コマンドにより受け付けた情報をＲＡＭ８０３に記録し終えたら（Ｓ１２０３）、問い合わせ元装置である画像形成装置１００に、定着リフレッシュ動作設定の登録が完了したことを示す完了コマンドを送信する（Ｓ１２０４）。
【０２７１】
（１６．３．定着リフレッシュ動作を実行するか否かについてのシークエンス）
図１２を流用して説明する。
【０２７２】
図１２のＳ４０５において判定するＲＡＭ３０２上のフラグは、電源スイッチ１０１のオンや、前扉１４０が閉じられたことに伴いＣＰＵ３０１が第一定着器１５０のＩＤに対応付けられた設定情報に基づいてセットされたものである（図２０、図２１）。つまり、制御部としてのＣＰＵ３０１は、第一定着器１５０のＩＤに対応付けられてサーバ４００に記憶されている設定情報に応じて定着リフレッシュ動作を許容するか否かを制御している。
【０２７３】
その他の点については実施例２と同様であるから、説明を省略する。
【０２７４】
前述したように、操作者による第一定着器１５０の交換には、画像形成装置１００の前扉１４０の開閉を伴う。すなわち、操作者によって画像形成装置１００の前扉１４０が開けられた場合には、第一定着器１５０が交換される可能性がある。また、電源スイッチ１０１がオフの間にも、第一定着器１５０が交換されている可能性がある。そのため、電源スイッチ１０１がオンになったことや、前扉１４０が閉じられたことに伴って、都度、第一定着器１５０のメモリ１５４から識別情報を読み出す。そして画像形成装置１００に装着されている第一定着器１５０のＩＤに対応する設定情報をサーバ４００から取得する。
【０２７５】
これにより、ＣＰＵ３０１は、定着器毎に設定された定着リフレッシュ動作設定に応じて、第一定着器１５０に定着リフレッシュ動作を許容するか否かを制御することができる。従って、第一定着器１５０を載せ替える度に操作者が定着リフレッシュ動作を許容するか否かの設定をし直さなくてもよく、ユーザビリティを向上させることができる。
【０２７６】
尚、本実施例では、操作者による定着リフレッシュ動作設定を画像形成装置１００の操作部１８０を通じて行う構成としたが、サーバ４００の操作部８０５を通じて設定する構成としてもよい。ＣＰＵ８０１は、例えば、図２５に示すような画面を操作部８０５に表示し、操作部８０５を通じて定着器のＩＤ毎に定着リフレッシュ動作の実行を許容するか否かを設定させる。図２５は、サーバ側での定着リフレッシュ動作設定の画面の一例を示す図である。
【０２７７】
尚、本実施例ではメモリ１５４が識別部として機能したが、識別部として他の構成としてもよい。例えば実施例２と同様に、抵抗体やディップスイッチを用いてもよい。
【０２７８】
〔実施例４〕
実施例１では、定着リフレッシュ動作の実行を許容するか否かの設定に対応する情報（設定情報）を第一定着器１５０のメモリ１５４に保持させている。そして、ＣＰＵ３０１がその情報に基づいて、定着リフレッシュ動作の実行を許容するか否かの制御をしている。
【０２７９】
実施例２では、設定情報を第一定着器１５０のＩＤと対応付けて本体メモリ３１２に保持させる。そして、ＣＰＵ３０１がその情報に基づいて、定着リフレッシュ動作の実行を許容するか否かの制御をしている。
【０２８０】
実施例３では、設定情報を第一定着器１５０のＩＤと対応付けてサーバ４００に保持させている。そして、ＣＰＵ３０１がその情報に基づいて、定着リフレッシュ動作の実行を許容するか否かの制御をしている。
【０２８１】
本実施例では、設定情報を第一定着器１５０のメモリ１５４と、本体メモリ３１２の両方に保持させる。以下では、実施例１との差分を中心に、より詳細に説明する。
【０２８２】
定着記憶部としての第一定着器１５０のメモリ１５４は、設定情報と、その設定情報がメモリ１５４に記録された時刻（日時）の情報（時刻情報）とを保持する。ここで、時刻の情報は、設定情報をＣＰＵ３０１がメモリ１５４に記録した時に時計３１３が出力する時刻を、ＣＰＵ３０１がメモリ１５４に記録する。さらに、メモリ１５４には、他の定着器と識別するための識別情報として、定着器のＩＤを保持しており、メモリ１５４は識別部としても機能する。
【０２８３】
一方、情報を記憶可能なもう１つの記憶部（本体記憶部）として、画像形成装置１００に設けられている本体メモリ３１２が機能する。本体メモリ３１２には、メモリ１５４に記録するのと同じ内容を示す設定情報と、その情報がメモリ１５４に記録された時刻情報と、第一定着器１５０の定着器のＩＤと、を対応付けて保持させるようにする。
【０２８４】
図２６の（ａ）は、定着器のメモリが保持している情報の一例を示す図であり、（ｂ）は、本体メモリが保持している情報の一例を示す図である。
【０２８５】
時刻情報は、メモリ１５４が記憶している設定情報と、本体メモリ３１２が記憶している設定情報のうち、どちらの情報に基づくかを判定する為に記憶させる。ＣＰＵ３０１は、本体メモリ３１２とメモリ１５４が保持している情報のうち、より新しい方の情報に基づいて、定着リフレッシュ動作の実行を許容するか否かを制御する。尚、新しさが同じ場合には、どちらの情報に基づいてもよい。
【０２８６】
本実施例の構成は、画像形成装置１００において設定されていた第一定着器１５０の設定情報が、画像形成装置１００と同じ構成を有する別の画像形成装置２００において変更された場合に役立つ。つまり、別の画像形成装置２００での設定された設定情報を画像形成装置１００でも引き継ぐことができる構成である。
【０２８７】
尚、第二定着器１７０においても同様である。第二定着器１７０においては、メモリ１７４が定着記憶部として機能する。また、以下でも、第一定着器１５０を例に説明するが、第二定着器１７０についても同様である。
【０２８８】
（１７．制御フロー４）
図２７〜図２９のフローチャートと、実施例１から流用する図１２を用いて、実施例１との差分を中心に説明する。尚、これらのフローチャートは、実行部（記録部）として機能するＣＰＵ３０１が、ＲＯＭ３０３に記憶された制御プログラムに基づいて画像形成装置１００の各種機構の動作を制御することにより行われる。また、第一定着器１５０を例に説明するが、第二定着器１７０においても同様である。
【０２８９】
（１７．２．設定シークエンス）
図２７は設定シークエンスのフローチャートである。本例では、デフォルトの設定として予め定着リフレッシュ動作を許容することを示す設定情報をメモリ１５４に保持させておく。操作者は、図９の設定シークエンスにより操作者の好みや用途に応じて設定を変更できる。尚、デフォルトの設定は、定着リフレッシュ動作を許容しない設定としてもよい。ただし、ユーザによる幅サイズ毎の使い分けがされない限り、１つの定着器で複数の幅サイズの記録材１０２を定着処理することが想定されるので、デフォルトの設定は定着リフレッシュ動作を許容するとした方が望ましい。
【０２９０】
Ｓ１３０１、Ｓ１３０２は、それぞれ図９のＳ１０１、Ｓ１０２と同じであるから説明を省略する。
【０２９１】
ＣＰＵ３０１は、操作者により定着リフレッシュ動作を許容することが設定された場合、Ｓ１３０４に移行し（Ｓ１３０３  Ｙｅｓ）、メモリ１５４に定着リフレッシュ動作設定として“実行する”を書き込む（Ｓ１３０４）。つまり、ＣＰＵ３０１はメモリ１５４に設定情報として定着リフレッシュ動作を許容することを示す情報を記録する。さらに、ＣＰＵ３０１は、本体メモリ３１２に定着リフレッシュ動作設定として“実行する”を書き込む（Ｓ１３０５）。Ｓ１３０５において、ＣＰＵ３０１は、画像形成装置１００に装着されている第一定着器１５０のＩＤと対応付けて記録する。つまり、ＣＰＵ３０１は本体メモリ３１２に設定情報として定着リフレッシュ動作を許容することを示す情報を、第一定着器１５０のＩＤと対応付けて記録する。
【０２９２】
一方、ＣＰＵ３０１は、操作者により定着リフレッシュ動作を許容しないことが設定された場合、Ｓ１３０６に移行し（Ｓ１３０３  Ｎｏ）、メモリ１５４に定着リフレッシュ動作設定として“実行しない”を書き込む（Ｓ１３０６）。つまり、ＣＰＵ３０１はメモリ１５４に設定情報として定着リフレッシュ動作を許容しないことを示す情報を記録する。さらに、ＣＰＵ３０１は、本体メモリ３１２に定着リフレッシュ動作設定として“実行しない”を書き込む（Ｓ１３０７）。Ｓ１３０７において、ＣＰＵ３０１は、画像形成装置１００に装着されている第一定着器１５０のＩＤ（識別情報）と対応付けて記録する。つまり、ＣＰＵ３０１は本体メモリ３１２に設定情報として定着リフレッシュ動作を許容しないことを示す情報を、第一定着器１５０のＩＤと対応付けて記録する。
【０２９３】
尚、Ｓ１３０５、Ｓ１３０７において。第一定着器１５０のＩＤは、電源スイッチ１０１がオンされたことや前扉１４０が閉じられたことに伴うシークエンス（図２８、図２９）において取得されている。既に本体メモリ３１２に第一定着器１５０のＩＤが記録されている場合は、それと対応付けるように定着リフレッシュ動作設定の情報を記録する。本体メモリ３１２に第一定着器１５０のＩＤが記録されていない場合は、第一定着器１５０のＩＤと定着リフレッシュ動作設定の情報を対応付けるように記録する。
【０２９４】
Ｓ１３０８において、ＣＰＵ３０１は、メモリ１５４に設定情報を記録した時刻の情報（時刻情報）をメモリ１５４と本体メモリ３１２に記録する。つまり、ＣＰＵ３０１は、Ｓ１３０４又はＳ１３０６の処理が完了した時刻を示す情報をメモリ１５４と本体メモリ３１２に記録する。このとき、ＣＰＵ３０１は、メモリ１５４には、Ｓ１３０４又はＳ１３０６で記録した設定情報と対応付けて時刻情報を記録する。本体メモリ３１２には、Ｓ１３０５又はＳ１３０７で記録した設定情報と識別情報と対応付けて時刻情報を記録する。
【０２９５】
尚、Ｓ１３０８において記録する時刻は、Ｓ１３０４又はＳ１３０６の処理が完了した時刻でなくてもよい。例えば、操作部１８０にて定着リフレッシュ動作設定がされた時刻でも良いし、Ｓ１３０５又はＳ１３０７の処理が完了した時刻でもよい。
【０２９６】
（１７．３．電源オン時及び前扉クローズ時のシークエンス）
図２８は電源スイッチがオンされてからスタンバイモードとなるまでのフローチャートである。
【０２９７】
Ｓ１４０１は、図１０のＳ２０１と同じであるから説明を省略する。
【０２９８】
Ｓ１４０２において、ＣＰＵ３０１は、画像形成装置１００に装着された第一定着器１５０のメモリ１５４が記憶しているデータを読み出す。
【０２９９】
Ｓ１４０３において、ＣＰＵ３０１は、本体メモリ３１２が記憶しているデータを読み出す。
【０３００】
Ｓ１４０４において、ＣＰＵ３０１は、Ｓ１４０２で取得した第一定着器１５０のＩＤに対応する設定情報を本体メモリ３１２が保持しているかを判定する。具体的には、ＣＰＵ３０１は、Ｓ１４０２で読み出した第一定着器１５０のＩＤに一致するデータを本体メモリ３１２においてサーチし、第一定着器１５０のＩＤに一致するデータの有無を判定する。
【０３０１】
Ｓ１４０２で読み出した第一定着器１５０のＩＤのデータを本体メモリ３１２が保持している場合、ＣＰＵ３０１は、Ｓ１４０５に移行する（Ｓ１４０４  Ｙｅｓ）。一方、Ｓ１４０２で読み出した第一定着器１５０のＩＤのデータを本体メモリ３１２が保持していない場合、ＣＰＵ３０１は、Ｓ１４０６に移行する（Ｓ１４０４  Ｎｏ）。
【０３０２】
第一定着器１５０のＩＤのデータを本体メモリ３１２が保持している場合、ＣＰＵ３０１は、メモリ１５４の設定情報と本体メモリ３１２の設定情報のどちらの情報に基づくかを判定する（Ｓ１４０５）。具体的には、ＣＰＵ３０１は、メモリ１５４が保持している時刻情報が第一定着器１５０のＩＤに対応付けて本体メモリ３１２に記録されている時刻情報より新しい時刻を示しているか否かを判定する。
【０３０３】
メモリ１５４が保持している時刻情報の方が、第一定着器１５０のＩＤに対応付けて本体メモリ３１２に記録されている時刻情報より新しい時刻を示している場合、ＣＰＵ３０１は、Ｓ１４０６に移行する（Ｓ１４０５  Ｙｅｓ）。
【０３０４】
Ｓ１４０６において、ＣＰＵ３０１はメモリ１５４が保持する第一定着器１５０のＩＤに対応する設定情報と時刻情報を本体メモリ３１２に第一定着器１５０のＩＤと対応付けて記録する。これにより本体メモリ３１２とメモリ１５４の設定情報をより新しい方の情報に更新できる。
【０３０５】
メモリ１５４が保持している時刻情報よりも、第一定着器１５０のＩＤに対応付けて本体メモリ３１２に記録されている時刻情報の方が新しい時刻を示している場合、ＣＰＵ３０１は、Ｓ１４０７に移行する（Ｓ１４０５  Ｎｏ）。また、メモリ１５４が保持している時刻情報と第一定着器１５０のＩＤに対応付けて本体メモリ３１２に記録されている時刻情報が同じ時刻を示している場合も、ＣＰＵ３０１は、Ｓ１４０７に移行する（Ｓ１４０５  Ｎｏ）。
【０３０６】
Ｓ１４０７において、ＣＰＵ３０１は本体メモリ３１２が保持する第一定着器１５０のＩＤに対応する設定情報と時刻情報をメモリ１５４に保持させる。具体的には、ＣＰＵ３０１は本体メモリ３１２が保持する第一定着器１５０のＩＤに対応する設定情報と時刻情報をメモリ１５４にコピーする。これにより本体メモリ３１２とメモリ１５４の設定情報をより新しい方の情報に更新できる。
【０３０７】
Ｓ１４０８において、ＣＰＵ３０１は、本体メモリ３１２またはメモリ１５４が保持する第一定着器１５０のＩＤについての設定情報が“実行する”であった場合、Ｓ１４０９に移行する（Ｓ１４０８  Ｙｅｓ）。Ｓ１４０９においてＣＰＵ３０１は、定着リフレッシュ動作についてのフラグをＯＮとしてＲＡＭ３０２上にセットする。
【０３０８】
一方、Ｓ１４０８において、ＣＰＵ３０１は、本体メモリ３１２またはメモリ１５４が保持する第一定着器１５０のＩＤについての設定情報が“実行しない”であった場合、Ｓ１４１０に移行する（Ｓ１４０８  Ｎｏ）。Ｓ１４１０においてＣＰＵ３０１は、定着リフレッシュ動作についてのフラグをＯＦＦとしてＲＡＭ３０２上にセットする。
【０３０９】
尚、Ｓ１４０６又はＳ１４０７のフローにより本体メモリ３１２とメモリ１５４が保持する第一定着器１５０についての設定情報は同じ内容が保持されているので、Ｓ１４０８では本体メモリ３１２とメモリ１５４のどちらの情報に基づいてもよい。本体メモリ３１２が第一定着器１５０のＩＤに対応する設定情報を有している場合に、Ｓ１４０５での判定に基づき、本体メモリ３１２とメモリ１５４の設定情報をより新しい方の情報に更新している。したがって、本体メモリ３１２とメモリ１５４が有する第一定着器１５０の設定情報のうち、より新しい方の情報に基づいてフラグを設定することができる。
【０３１０】
その後、ＣＰＵ３０１は、スタンバイモードに移行する。
【０３１１】
尚、Ｓ１４０２におけるメモリ１５４の読み出しと、Ｓ１４０３における本体メモリ３１２の読み出しは、複数の段階に分けてもよい。例えば、Ｓ１４０４、Ｓ１４０５の処理毎にＣＰＵ３０１が必要な情報をメモリ１５４や本体メモリ３１２に読み出しに行く構成としてもよい。
【０３１２】
図２９は前扉が開いている状態からスタンバイモードとなるまでのフローチャートである。
【０３１３】
Ｓ１５０１は、図１１のＳ３０１と同じであるから説明を省略する。
【０３１４】
Ｓ１５０２〜Ｓ１５１１は、それぞれ昇順に図２８のＳ１４０１〜Ｓ１４１０と同じなので説明は省略する。その後、スタンバイモードへ移行する。
【０３１５】
（１７．３．定着リフレッシュ動作を実行するか否かについてのシークエンス）
図１２を流用して説明する。
【０３１６】
図１２のＳ４０５において判定するＲＡＭ３０２上のフラグは、電源スイッチ１０１のオンや、前扉１４０が閉じられたことに伴い、ＣＰＵ３０１がより新しい設定情報に基づいてセットしたものである（図２８、図２９）。つまり、制御部としてのＣＰＵ３０１は、第一定着器１５０のＩＤに対応付けられて本体メモリ３１２が記憶する設定情報と、メモリ１５４が保持する設定情報のうち、より新しい方の設定情報に応じて定着リフレッシュ動作を許容するか否かを制御している。
【０３１７】
その他の点については実施例１と同様であるから、説明を省略する。
【０３１８】
尚、本実施例では、第一定着器１５０のＩＤに対応付けられて本体メモリ３１２が記憶する設定情報に応じてＲＡＭ３０２上に定着リフレッシュ動作についてのフラグを立てた。しかし、本体メモリ３１２の設定情報そのものをフラグのＯＮ・ＯＦＦに対応するものとする構成としてもよい。
【０３１９】
尚、以上の説明では、メモリ１５４と本体メモリ３１２のどちらの設定情報の有無に基づくかを判定するための情報として、メモリ１５４と本体メモリ３１２に時刻情報を保持させた。しかし、メモリ１５４と本体メモリ３１２のどちらに基づくかを判定するための情報は時刻に限らない。例えば、時刻情報の代わりに、メモリ１５４に情報が記録された累積回数を示す情報（回数情報）をメモリ１５４と本体メモリ３１２に保持させる構成としてもよい。この場合、ＣＰＵ３０１は、設定情報をメモリ１５４に記録する度に、メモリ１５４が保持する回数情報の回数の値を更新して記録する。そしてＣＰＵ３０１は、画像形成装置１００に装着された第一定着器１５０のメモリ１５４が記憶している回数情報と、本体メモリ３１２が記憶している回数情報とを比較し、どちらの回数情報の累積回数が多いかを判定する。
【０３２０】
前述したように、操作者による第一定着器１５０の交換には、画像形成装置１００の前扉１４０の開閉を伴う。すなわち、操作者によって画像形成装置１００の前扉１４０が開けられた場合には、第一定着器１５０が交換される可能性がある。また、電源スイッチ１０１がオフの間にも、第一定着器１５０が交換されている可能性がある。そのため、電源スイッチ１０１がオンになったことや、前扉１４０が閉じられたことに伴って、都度、第一定着器１５０のメモリ１５４から情報を読み出し、本体メモリ３１２とメモリ１５４の設定情報のうち新しい方の設定情報に基づく制御する。
【０３２１】
これにより、ＣＰＵ３０１は、定着器毎に設定された定着リフレッシュ動作設定に応じて、第一定着器１５０に定着リフレッシュ動作を許容するか否かを制御することができる。従って、第一定着器１５０を載せ替える度に操作者が定着リフレッシュ動作を許容するか否かの設定をし直さなくてもよく、ユーザビリティを向上させることができる。
【０３２２】
尚、本例では定着器毎の設定情報をメモリ１５４と本体メモリ３１２に記憶させる構成としたが、メモリ１５４とサーバ４００に記憶させる構成としてもよい。
【０３２３】
以上の説明において、第一定着器１５０を例に説明したが、第二定着器１７０においても同様である。
【０３２４】
〔変形例１〕
以上の説明では、定着リフレッシュ動作の設定において、定着リフレッシュ動作の実行を許容するか否かを設定する構成としたが、定着リフレッシュ動作を実行する頻度（リフレッシュレベル）を設定可能な構成としてもよい。
【０３２５】
実施例１を例に説明する。
【０３２６】
ＣＰＵ３０１はＳ１０１、Ｓ１０２（図９）において、操作者により定着リフレッシュ動作の実行を許容する設定がされた場合、定着リフレッシュ動作を実行する頻度を操作者に設定させる。ＣＰＵ３０１は、例えば、図３０のような画面を操作部１８０に表示し、定着リフレッシュ動作を実行する頻度を操作者に設定させる。図３０は、リフレッシュレベル設定の画面の一例を示す図である。
【０３２７】
例えば、操作者によりリフレッシュレベルについて“少ない”を設定された場合は、ＣＰＵ３０１は、第一定着器１５０に搬送された記録材１０２が５００枚を超える毎に定着リフレッシュ動作を実行させる。操作者によりリフレッシュレベルについて“多い”を設定された場合は、ＣＰＵ３０１は、第一定着器１５０に搬送された記録材１０２が２５０枚を超える毎に定着リフレッシュ動作を実行させる。
【０３２８】
尚、リフレッシュレベルの選択肢と定着リフレッシュ動作を実行する具体的な頻度の対応を示す情報は、ＲＯＭ３０３に予め格納しておく。
【０３２９】
定着リフレッシュ動作を実施する頻度を多くすることによって、こまめに定着ローラ１５１の表面状態を均すことができるので、光沢ムラの影響を軽減することができる。その一方で、印刷ジョブ実行時に定着リフレッシュ動作（例えば３０秒）が入る頻度が増えるため、ダウンタイム発生頻度が増え、画像形成装置１００の稼働率を低下させてしまう。よって、デフォルトの設定としては、リフレッシュレベルを“少ない”に設定しておくことが望ましい。
【０３３０】
操作者によって設定されたリフレッシュレベルを示す情報（頻度情報）はＣＰＵ３０１が設定情報と併せてメモリ１５４に記録する。
【０３３１】
尚、本例では、操作者により定着リフレッシュ動作の実行を許容する設定がされた場合、定着リフレッシュ動作を実行する頻度を操作者に設定させる構成としたが、次の構成でも良い。つまり、リフレッシュレベルの選択肢の１つとして定着リフレッシュ動作の実行を許容しない設定を設ける構成としてもよい。ＣＰＵ３０１は、Ｓ１０１、Ｓ１０２（図９）において、操作部１８０に例えば図７と図３０のような画面を二段階で表示させるのではなく、まとめて１つの画面として表示させる。この場合も、操作部１８０は定着リフレッシュ動作の実行を許容するか否かを設定する設定部として機能する。
【０３３２】
尚、第一定着器１５０を例に説明したが、第二定着器１７０においても同様である。
【０３３３】
尚、実施例１を例に説明したが、実施例２〜４に適用してもよい。実施例２〜４に適用する場合についても、同様であるから説明を省略する。
【０３３４】
〔変形例２〕
変形例１では、リフレッシュレベルの設定として定着リフレッシュ動作を実行する頻度を設定可能な構成としたが、リフレッシュレベルの設定として１回あたりの定着リフレッシュ動作において実行する摺擦処理の時間を設定可能な構成としてもよい。
【０３３５】
実施例１を例に説明する。
【０３３６】
ＣＰＵ３０１はＳ１０１、Ｓ１０２（図９）において、操作者により定着リフレッシュ動作の実行を許容する設定がされた場合、定着リフレッシュ動作において摺擦処理を実行する時間（摺擦時間）を操作者に設定させる。
【０３３７】
例えば、リフレッシュレベルの選択画面において“長い”又は“短い”を選択可能とする。操作者によりリフレッシュレベルについて“長い”を設定された場合は、ＣＰＵ３０１は、第一定着器１５０に搬送された記録材１０２が所定値を超える毎に４０秒間の定着リフレッシュ動作を実行させる。操作者によりリフレッシュレベルについて“短い”を設定された場合は、ＣＰＵ３０１は、第一定着器１５０に搬送された記録材１０２が所定値を超える毎に２０秒間の定着リフレッシュ動作を実行させる。
【０３３８】
尚、リフレッシュレベルの選択肢と定着リフレッシュ動作において摺擦処理する具体的な時間の対応を示す情報は、ＲＯＭ３０３に予め格納しておく。
【０３３９】
定着リフレッシュ動作を実行する時間をより長くすることによって、定着ローラ１５１の表面状態をより均すことができるので、光沢ムラの影響を軽減することができる。その一方で、電源オン時や印刷ジョブが終了した場合にスタンバイモードに移行するまでに定着リフレッシュ動作（例えば３０秒）が入る時間が増えるため、ダウンタイム発生頻度が増え、画像形成装置１００の稼働率を低下させてしまう。
【０３４０】
よって、デフォルトの設定としてはリフレッシュレベルを“短い”に設定しておくことが望ましい。
【０３４１】
操作者によって設定されたリフレッシュレベルを示す情報（時間情報）はＣＰＵ３０１がメモリ１５４に記録する。
【０３４２】
制御フローについては実施例１と同様であるから説明を省略する。本例の場合、ＣＰＵ３０１は、Ｓ４０６（図１２）の定着リフレッシュ動作において、メモリ１５４が保持するリフレッシュレベルに対応する時間に亘って、摺擦処理を実行させる。
【０３４３】
操作者によって設定されたリフレッシュレベルを示す情報（時間情報）はＣＰＵ３０１が設定情報と併せてメモリ１５４に記録する。
【０３４４】
尚、本例では、操作者により定着リフレッシュ動作の実行を許容する設定がされた場合、定着リフレッシュ動作における摺擦処理の実行時間を操作者に設定させる構成としたが、次の構成でも良い。つまり、リフレッシュレベルの選択肢の１つとして定着リフレッシュ動作の実行を許容しない設定を設ける構成としてもよい。ＣＰＵ３０１は、Ｓ１０１、Ｓ１０２（図９）において、操作部１８０に設定の為の画面を二段階で表示させるのではなく、まとめて１つの画面として表示させる。この場合も、操作部１８０は定着リフレッシュ動作の実行を許容するか否かを設定する設定部として機能する。
【０３４５】
また、リフレッシュレベルの設定画面において、定着リフレッシュ動作の実施する頻度（変形例１）と、１回あたりの定着リフレッシュ動作において実行する摺擦処理の時間の両方を選択可能としてもよい。
【０３４６】
尚、第一定着器１５０を例に説明したが、第二定着器１７０においても同様である。
【０３４７】
尚、実施例１を例に説明したが、実施例２〜４に適用してもよい。実施例２〜４に適用する場合についても、同様であるから説明を省略する。
【０３４８】
〔変形例３〕
また、以上の説明では、定着画像上に光沢度の差が生じる要因として、記録材１０２の端部が定着ローラ１５１と接触する場合を例に説明したが、これに限らない。例えば、定着ローラ１５１への記録材１０２の巻き付きを防ぐために定着ローラ１５１に当接する分離爪を設ける構成とした場合である。
【０３４９】
この場合、定着処理の蓄積に伴い、分離爪の当接による接触傷が定着ローラ１５１の表面に生じる恐れがある。分離爪が定着ローラ１５１の長手方向（回転軸の方向）に間隔を設けて配置されている場合、分離爪の当接箇所近傍で定着ローラ１５１の表面が粗くなり、定着ローラ１５１の長手方向で表面状態の不均一が生じる恐れがある。結果、定着画像上に光沢度の差が生じる恐れがある。そこで、リフレッシュローラ１５６を設け、上述のように、定着リフレッシュ動作を実行させることで、接触傷による画質への影響を低減することができる。
【０３５０】
このような場合にも、上述の実施例１〜４のような、定着リフレッシュ動作の実行を許容するか否かの設定を定着器毎の情報として管理する構成を適用してもよい。
【０３５１】
〔変形例４〕
また、以上の説明ではリフレッシュローラ１５６を定着ローラ１５１に設け、定着部材の表面を摺擦処理する構成としたが、加圧ベルト１５２や加圧ローラ１７２の表面に摺擦回転体を設け、加圧部材の表面を摺擦処理する構成としてもよい。
【０３５２】
〔変形例５〕
また、以上では、第一定着器１５０と第二定着器１７０を備える画像形成装置１００を例に説明した（タンデム定着）。しかし画像形成装置１００は第一定着器１５０のみを有する構成としてもよい。
【０３５３】
〔変形例６〕
また、以上では、画像形成装置１００は、イエロー、マゼンタ、シアン、ブラックのトナー像を形成する像形成部（ステーション１２０〜１２３）を有するカラーの画像形成装置を例に説明したが、単色の画像形成装置であってもよい。例えば、ブラックのトナー画像を形成するモノクロの画像形成装置などである。
【０３５４】
〔変形例７〕
また、以上の説明では、画像形成装置１００は、中間転写体としての中間転写ベルト１１５を有する構成（中間転写方式）としたが、以下の構成（直接転写方式）としてもよい。
【０３５５】
この場合、画像形成部３０９として、像形成部（ステーション１２０〜１２３）と、転写部として機能する転写搬送ベルトとを備える。像形成部（ステーション１２０〜１２３）は、転写搬送ベルトと当接するように設けられている。画像形成装置１００は、記録材１０２を、記録材収納部１０３から転写搬送ベルトへ搬送する。転写搬送ベルトは、記録材１０２と静電吸着しながら記録材１０２を搬送するベルトであって、転写搬送ベルトを介して像形成部と対向する位置（ベルトの内周側）に転写ローラを備える。転写ローラは、像担持体上に形成されたトナー像を、転写搬送ベルトにより搬送される記録材１０２に転写する。これにより、記録材１０２にトナー像（未定着）を形成する。
【符号の説明】
【０３５６】
１００  画像形成装置
１００Ａ  本体
１０２  記録材
１４１  第一装着部
１４２  第二装着部
１５０  第一定着器
１５１  定着ローラ
１５２  加圧ベルト
１５４  メモリ
１５６  リフレッシュローラ
１７０  第二定着器
１７１  定着ローラ
１７２  加圧ローラ
１７４  メモリ
１８０  操作部
３０１  ＣＰＵ
３０９  画像形成部
３１２  本体メモリ
Ｎ  ニップ部
【図１】
2017032865.tif 000003
【図２】
2017032865.tif 000004
【図３】
2017032865.tif 000005
【図４】
2017032865.tif 000006
【図５】
2017032865.tif 000007
【図６】
2017032865.tif 000008
【図７】
2017032865.tif 000009
【図８】
2017032865.tif 000010
【図９】
2017032865.tif 000011
【図１０】
2017032865.tif 000012
【図１１】
2017032865.tif 000013
【図１２】
2017032865.tif 000014
【図１３】
2017032865.tif 000015
【図１４】
2017032865.tif 000016
【図１５】
2017032865.tif 000017
【図１６】
2017032865.tif 000018
【図１７】
2017032865.tif 000019
【図１８】
2017032865.tif 000020
【図１９】
2017032865.tif 000021
【図２０】
2017032865.tif 000022
【図２１】
2017032865.tif 000023
【図２２】
2017032865.tif 000024
【図２３】
2017032865.tif 000025
【図２４】
2017032865.tif 000026
【図２５】
2017032865.tif 000027
【図２６】
2017032865.tif 000028
【図２７】
2017032865.tif 000029
【図２８】
2017032865.tif 000030
【図２９】
2017032865.tif 000031
【図３０】
2017032865.tif 000032